(57)【要約】      （修正有）【課題】携帯情報端末ケースに設けた、リング状の把持部に指を通すと携帯情報端末ケースを保持できるが、携帯情報端末ケースを装着した携帯情報端末の画面を操作しようとした場合に把持部が定位置で固定されているため、指の届く範囲が限定されることで、携帯情報端末の画面を操作する指の可動範囲が狭くなる。【解決手段】携帯情報端末ケースQ１３において、その一部に枠Q２４と枠Q１４を設け、枠Q２４と枠Q１４の間の幅Q３０よ大きな滑動部Q１８を枠Q２４と枠Q１４の間に上下左右斜めへ滑動自在に設け、さらに滑動部Q１８に把持部Q１９を連結して設けた滑動自在な把持部を備える。【選択図】図４５
2019208209.tif 000002
【特許請求の範囲】
【請求項１】
ケース本体の一部に案内窓を備えた回動自在な箱を設け
前記回動自在な箱の案内窓に沿って前記箱の中を自在に滑動する滑動部
を備えた把持部を前記ケースの一部にさらに設けたことを特徴とする
滑動自在な把持部を備えた携帯情報端末ケース
【請求項２】
ケース本体の一部に案内窓を備えた回動自在な箱を設け
さらに前記回動自在な箱の中を自在に滑動する滑動部を設け
前記滑動部と連結して前記箱に備えた案内窓を滑動する
把持部さらに設けたことを特徴とする
滑動自在な把持部を備えた携帯情報端末ケース
【請求項３】
請求項１及び請求項２に記載のいずれかの
滑動自在な把持部を備えた携帯情報端末ケースにおいて
滑動部を回動自在な箱の中で回動自在に設けたことを特徴とする
滑動自在な把持部を備えた携帯情報端末ケース
【請求項４】
請求項１から請求項３に記載のいずれかの
滑動自在な把持部を備えた携帯情報端末ケースにおいて
把持部の角度を変更自在に設けたことを特徴とする
滑動自在な把持部を備えた携帯情報端末ケース
【請求項５】
請求項１から請求項４に記載のいずれかの
滑動自在な把持部を備えた携帯情報端末ケースにおいて
滑動範囲を変更自在にするストッパーを前記携帯情報端末ケースの箱の一部に
さらに設けたことを特徴とする
滑動自在な把持部を備えた携帯情報端末ケース
【請求項６】
請求項１から請求項５に記載のいずれかの
滑動自在な把持部を備えた携帯情報端末ケースにおいて
箱の形状を問わないことを特徴とする
滑動自在な把持部を備えた携帯情報端末ケース
【請求項７】
バンパー本体の一部に案内窓を備えた回動自在な箱を設け
前記回動自在な箱の案内窓に沿って前記箱の中を自在に滑動する滑動部
を備えた把持部を前記ケースの一部にさらに設けたことを特徴とする
滑動自在な把持部を備えた携帯情報端末バンパー
【請求項８】
バンパー本体の一部に案内窓を備えた回動自在な箱を設け
さらに前記回動自在な箱の中を自在に滑動する滑動部を設け
前記滑動部と連結して前記箱に備えた案内窓を滑動する
把持部さらに設けたことを特徴とする
滑動自在な把持部を備えた携帯情報端末バンパー
【請求項９】
請求項７から請求項８に記載のいずれかの
滑動自在な把持部を備えた携帯情報端末バンパーにおいて
滑動部を回動自在な箱の中で回動自在に設けたことを特徴とする
滑動自在な把持部を備えた携帯情報端末バンパー
【請求項１０】
請求項７から請求項９に記載のいずれかの
滑動自在な把持部を備えた携帯情報端末バンパーにおいて
把持部の角度を変更自在に設けたことを特徴とする
滑動自在な把持部を備えた携帯情報端末バンパー
【請求項１１】
請求項７から請求項１０に記載のいずれかの
滑動自在な把持部を備えた携帯情報端末バンパーにおいて
滑動範囲を変更自在にするストッパーを前記携帯情報端末ケースの箱の一部に
さらに設けたことを特徴とする
滑動自在な把持部を備えた携帯情報端末バンパー
【請求項１２】
請求項７から請求項１１に記載のいずれかの
滑動自在な把持部を備えた携帯情報端末バンパーにおいて
箱の形状を問わないことを特徴とする
滑動自在な把持部を備えた携帯情報端末バンパー
【請求項１３】
滑動自在な把持具の一部に案内窓を備えた回動自在な箱を設け
前記回動自在な箱の案内窓に沿って前記回動自在な箱の中を自在に滑動する滑動部
を備えた把持部を前記回動自在な箱の一部にさらに設け滑動自在な把持具を
着脱自在にする吸盤を設けたことを特徴とする滑動自在な把持具
【請求項１４】
滑動自在な把持具の一部に案内窓を備えた回動自在な箱を設け
さらに前記回動自在な箱の中を自在に滑動する滑動部を設け
前記滑動部と連結して前記回動自在な箱に備えた案内窓を滑動する
把持部さらに設けさらに滑動自在な把持具を着脱自在にする吸盤を設け
たことを特徴とする滑動自在な把持具
【請求項１５】
請求項１３から請求項１４に記載のいずれかの滑動自在な把持具において
滑動部を回動自在な箱の中で回動自在に設けたことを特徴とする滑動自在な把持具
【請求項１６】
請求項１３から請求項１５に記載のいずれかの滑動自在な把持具において
把持部の角度を変更自在に設けたことを特徴とする滑動自在な把持具
【請求項１７】
請求項１３から請求項１６に記載のいずれかの滑動自在な把持具において
滑動範囲を変更自在にするストッパーを前記滑動自在な把持具の回動自在な箱の
一部にさらに設けたことを特徴とする滑動自在な把持具
【請求項１８】
請求項１３から請求項１７に記載のいずれかの滑動自在な把持具において
回動自在な箱の形状を問わないことを特徴とする滑動自在な把持具
【請求項１９】
滑動自在な把持具の一部に案内窓を備えた回動自在な箱を設け
前記回動自在な箱の案内窓に沿って前記回動自在な箱の中を自在に滑動する滑動部
を備えた把持部を前記回動自在な箱の一部にさらに設け
滑動自在な把持具を磁力により着脱自在にする吸着部と前記吸着部と吸着する吸着板をさ
らに設けたことを特徴とする滑動自在な把持具
【請求項２０】
滑動自在な把持具の一部に案内窓を備えた回動自在な箱を設け
さらに前記回動自在な箱の中を自在に滑動する滑動部を設け
前記滑動部と連結して前記回動自在な箱に備えた案内窓を滑動する
把持部さらに設けさらに滑動自在な把持具を磁力により着脱自在にする吸着部と
前記吸着部と吸着する吸着板をさらに設けたことを特徴とする滑動自在な把持具
【請求項２１】
請求項１９から請求項２０に記載のいずれかの
滑動自在な把持具において滑動部を回動自在な箱の中で回動自在に設けたことを
特徴とする滑動自在な把持具
【請求項２２】
請求項１９から請求項２１に記載のいずれかの滑動自在な把持具において
把持部の角度を変更自在に設けたことを特徴とする滑動自在な把持具
【請求項２３】
請求項１９から請求項２２に記載のいずれかの滑動自在な把持具において
滑動範囲を変更自在にするストッパーを前記滑動自在な把持具の回動自在な箱の
一部にさらに設けたことを特徴とする滑動自在な把持具
【請求項２４】
請求項１９から請求項２３に記載のいずれかの
滑動自在な把持具において
回動自在な箱の形状を問わないことを特徴とする滑動自在な把持具
【請求項２５】
滑動自在な把持具の一部に案内窓を備えた回動自在な箱を設け
前記回動自在な箱の案内窓に沿って前記回動自在な箱の中を自在に滑動する滑動部
を備えた把持部を前記回動自在な箱の一部にさらに設け
滑動自在な把持具を装着する吸着面を設けたことを特徴とする滑動自在な把持具
【請求項２６】
滑動自在な把持具の一部に案内窓を備えた回動自在な箱を設け
さらに前記回動自在な箱の中を自在に滑動する滑動部を設け
前記滑動部と連結して前記回動自在な箱に備えた案内窓を滑動する
把持部さらに設けさらに滑動自在な把持具を装着する吸着面を設け
たことを特徴とする滑動自在な把持具
【請求項２７】
請求項２５から請求項２６に記載のいずれかの滑動自在な把持具において
滑動部を回動自在な箱の中で回動自在に設けたことを特徴とする滑動自在な把持具
【請求項２８】
請求項２５から請求項２７に記載のいずれかの滑動自在な把持具において
把持部の角度を変更自在に設けたことを特徴とする滑動自在な把持具
【請求項２９】
請求項２５から請求項２８に記載のいずれかの滑動自在な把持具において
滑動範囲を変更自在にするストッパーを前記滑動自在な把持具の回動自在な箱の
一部にさらに設けたことを特徴とする滑動自在な把持具
【請求項３０】
請求項２５から請求項２９に記載のいずれかの滑動自在な把持具において
回動自在な箱の形状を問わないことを特徴とする滑動自在な把持具
【請求項３１】
滑動自在な把持具の一部に案内窓を備えた回動自在な箱を設け
前記回動自在な箱の案内窓に沿って前記回動自在な箱の中を自在に滑動する滑動部
を備えた把持部を前記回動自在な箱の一部にさらに設け
滑動自在な把持具の一部に着脱自在にする面ファスナーと前記面ファスナーと結合する面
ファスナーをさらに設けたことを特徴とする滑動自在な把持具
【請求項３２】
滑動自在な把持具の一部に案内窓を備えた回動自在な箱を設け
さらに前記回動自在な箱の中を自在に滑動する滑動部を設け
前記滑動部と連結して前記回動自在な箱に備えた案内窓を滑動する
把持部さらに設けさらに滑動自在な把持具の一部に着脱自在にする面ファスナーと
前記面ファスナーと結合する面ファスナーをさらに設けたことを特徴とする
滑動自在な把持具
【請求項３３】
請求項３１から請求項３２に記載のいずれかの滑動自在な把持具において
滑動部を回動自在な箱の中で回動自在に設けたことを特徴とする滑動自在な把持具
【請求項３４】
請求項３１から請求項３３に記載のいずれかの滑動自在な把持具において
把持部の角度を変更自在に設けたことを特徴とする滑動自在な把持具
【請求項３５】
請求項３１から請求項３４に記載のいずれかの滑動自在な把持具において
滑動範囲を変更自在にするストッパーを前記滑動自在な把持具の回動自在な箱の
一部にさらに設けたことを特徴とする滑動自在な把持具
【請求項３６】
請求項３１から請求項３５に記載のいずれかの滑動自在な把持具において
回動自在な箱の形状を問わないことを特徴とする滑動自在な把持具
【請求項３７】
請求項３１から請求項３６に記載のいずれかの
滑動自在な把持部を備えた携帯情報端末の把持具において
滑動部を摺動自在としたことを特徴とする
滑動自在な把持部を備えた携帯情報端末の把持具
【請求項３８】
請求項１から請求項６に記載のいずれかの滑動自在な把持部を備えた
携帯情報端末のケースにおいてケースとはカバーも含むことを特徴とする
滑動自在な把持部を備えた携帯情報端末ケース
【請求項３９】
請求項１から請求項６に記載のいずれかの滑動自在な把持部を備えた
携帯情報端末のケースにおいてケースとは保護具も含むことを特徴とする
滑動自在な把持部を備えた携帯情報端末ケース
【請求項４０】
請求項１から請求項６に記載のいずれかの滑動自在な把持部を備えた
携帯情報端末のケースにおいてケースとは手帳型ケースも含むことを特徴とする
滑動自在な把持部を備えた携帯情報端末ケース
【請求項４１】
請求項１から請求項６に記載のいずれかの滑動自在な把持部を備えた
携帯情報端末のケースにおいて携帯情報端末とは携帯音楽プレーヤーも含むことを
特徴とする滑動自在な把持部を備えた携帯情報端末ケース
【請求項４２】
請求項１から請求項６に記載のいずれかの滑動自在な把持部を備えた
携帯情報端末のケースにおいて携帯情報端末とはスマートフォンも含むことを
特徴とする滑動自在な把持部を備えた携帯情報端末ケース
【請求項４３】
請求項１から請求項６に記載のいずれかの滑動自在な把持部を備えた
携帯情報端末のケースにおいて携帯情報端末とはタブレット端末も含むことを
特徴とする滑動自在な把持部を備えた携帯情報端末ケース
【請求項４４】
請求項１から請求項６に記載のいずれかの滑動自在な把持部を備えた
携帯情報端末のケースにおいて携帯情報端末とはゲーム機も含むことを
特徴とする滑動自在な把持部を備えた携帯情報端末ケース
【請求項４５】
請求項１から請求項６に記載のいずれかの滑動自在な把持部を備えた
携帯情報端末のケースにおいて携帯情報端末とはゲーム機のコントローラーも
含むことを特徴とする滑動自在な把持部を備えた携帯情報端末ケース
【請求項４６】
請求項１から請求項６に記載のいずれかの滑動自在な把持部を備えた
携帯情報端末のケースにおいて携帯情報端末とはVR端末を含むことを
特徴とする滑動自在な把持部を備えた携帯情報端末ケース
【請求項４７】
請求項１から請求項６に記載のいずれかの滑動自在な把持部を備えた
携帯情報端末のケースにおいて携帯情報端末とはVR端末のコントローラーを
含むことを特徴とする滑動自在な把持部を備えた携帯情報端末ケース
【請求項４８】
請求項１から請求項６に記載のいずれかの滑動自在な把持部を備えた
携帯情報端末のケースにおいて携帯情報端末とは入力装置を持たない携帯情報端末も
含むことを特徴とする滑動自在な把持部を備えた携帯情報端末ケース
【請求項４９】
請求項１から請求項６に記載のいずれかの滑動自在な把持部を備えた
携帯情報端末のバンパーにおいて携帯情報端末とはVR端末を含むことを
特徴とする滑動自在な把持部を備えた携帯情報端末ケース
【請求項５０】
請求項１から請求項６に記載のいずれかの滑動自在な把持部を備えた
携帯情報端末のケースにおいて非金属製の素材で構成されていることを
特徴とする滑動自在な把持部を備えた携帯情報端末ケース
【請求項５１】
請求項１から請求項６に記載のいずれかの滑動自在な把持部を備えた
携帯情報端末のケースにおいて滑動自在な把持部を着脱自在に設けていることを
特徴とする滑動自在な把持部を備えた携帯情報端末ケース
【請求項５２】
請求項１から請求項６に記載のいずれかの滑動自在な把持部を備えた
携帯情報端末のケースにおいて滑動自在な把持部を開閉式に設けていることを
特徴とする滑動自在な把持部を備えた携帯情報端末ケース
【請求項５３】
請求項７から請求項１２に記載のいずれかの滑動自在な把持部を備えた
携帯情報端末のバンパーにおいてバンパーとは保護具も含むことを特徴とする
滑動自在な把持部を備えた携帯情報端末バンパー
【請求項５４】
請求項７から請求項１２に記載のいずれかの滑動自在な把持部を備えた
携帯情報端末のバンパーにおいてバンパーとは手帳型バンパーも含むことを
特徴とする滑動自在な把持部を備えた携帯情報端末バンパー
【請求項５５】
請求項７から請求項１２に記載のいずれかの滑動自在な把持部を備えた
携帯情報端末のバンパーにおいて携帯情報端末とは携帯音楽プレーヤーも
含むことを特徴とする滑動自在な把持部を備えた携帯情報端末バンパー
【請求項５６】
請求項７から請求項１２に記載のいずれかの滑動自在な把持部を備えた
携帯情報端末のバンパーにおいて携帯情報端末とはスマートフォンも含むことを
特徴とする滑動自在な把持部を備えた携帯情報端末バンパー
【請求項５７】
請求項７から請求項１２に記載のいずれかの滑動自在な把持部を備えた
携帯情報端末のバンパーにおいて携帯情報端末とはタブレット端末も含むことを
特徴とする滑動自在な把持部を備えた携帯情報端末バンパー
【請求項５８】
請求項７から請求項１２に記載のいずれかの滑動自在な把持部を備えた
携帯情報端末のバンパーにおいて携帯情報端末とはゲーム機も含むことを
特徴とする滑動自在な把持部を備えた携帯情報端末バンパー
【請求項５９】
請求項７から請求項１２に記載のいずれかの滑動自在な把持部を備えた
携帯情報端末のバンパーにおいて携帯情報端末とは入力装置を持たない携帯情報端末も
含むことを特徴とする滑動自在な把持部を備えた携帯情報端末バンパー
【請求項６０】
請求項７から請求項１２に記載のいずれかの滑動自在な把持部を備えた
携帯情報端末のバンパーにおいて非金属製の素材で構成されていることを
特徴とする滑動自在な把持部を備えた携帯情報端末バンパー
【請求項６１】
請求項７から請求項１２に記載のいずれかの滑動自在な把持部を備えた
携帯情報端末のバンパーにおいて滑動自在な把持部を開閉式に設けていることを
特徴とする滑動自在な把持部を備えた携帯情報端末バンパー
【請求項６２】
請求項７から請求項１２に記載のいずれかの滑動自在な把持部を備えた携帯情報端末
のバンパーにおいて滑動自在な把持部を着脱自在に設けていることを特徴とする
滑動自在な把持部を備えた携帯情報端末バンパー
【請求項６３】
請求項７から請求項１２に記載のいずれかの滑動自在な把持部を備えた
携帯情報端末のバンパーにおいて
携帯情報端末とはゲーム機のコントローラーも含むことを特徴とする
滑動自在な把持部を備えた携帯情報端末バンパー
【請求項６４】
請求項７から請求項１２に記載のいずれかの滑動自在な把持部を備えた
携帯情報端末のバンパーにおいて
携帯情報端末とはVR端末のコントローラーを含むことを特徴とする
滑動自在な把持部を備えた携帯情報端末バンパー
【請求項６５】
請求項１３から請求項３７に記載のいずれかの滑動自在な把持具において把持部とは
リング状の把持部を含むことを特徴とする
滑動自在な把持具
【請求項６６】
請求項１３から請求項３７に記載のいずれかの滑動自在な把持具において把持部とは
波状の把持部を含むことを特徴とする
滑動自在な把持具
【請求項６７】
請求項１３から請求項３７に記載のいずれかの滑動自在な把持具において把持部とは
布素材の把持部を含むことを特徴とする
滑動自在な把持具
【請求項６８】
請求項１３から請求項３７に記載のいずれかの滑動自在な把持具において把持部とは
樹脂素材の把持部を含むことを特徴とする
滑動自在な把持具
【請求項６９】
請求項１３から請求項３７に記載のいずれかの滑動自在な把持具において把持部とは
ゴム素材の把持部を含むことを特徴とする
滑動自在な把持具
【請求項７０】
請求項１３から請求項３７に記載のいずれかの滑動自在な把持具において非金属製の
素材で構成されていることを特徴とする
滑動自在な把持具
【請求項７１】
請求項１３から請求項３７に記載のいずれかの滑動自在な把持具において滑動自在な
把持部具を装着した携帯情報端末または携帯情報端末ケースまたは携帯情報端末バンパー
から着脱自在に設けていることを特徴とする
滑動自在な把持具
【発明の詳細な説明】
【技術分野】
【０００１】
本発明は、滑動自在な把持部を備えた端末、ケース、滑動自在な把持具に関するものであ
り、滑動自在な把持部により、把持部に指を通して把持部したまま、操作する指の操作範
囲を広げられるようにしたものである。
【発明の開示】
【発明が解決しようとする課題】
【０００２】
従来のようなリング状の固定された把持部を備えた携帯情報端末や携帯情報端末ケースや
携帯情報端末バンパーや把持具では把持部に指を通すと指の位置が固定するため固定され
た指がある手で片手操作をする場合に携帯情報端末を操作する指の範囲が狭くなってしま
うという不都合を解決することを課題とする
【課題を解決するための手段】
【０００３】
請求項１に記載の発明は
ケース本体の一部に軸を設け、前記軸に沿って自在に滑動する
把持部をさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０００４】
請求項２に記載の発明は
請求項１に記載の
滑動自在な把持部を備えた携帯情報端末ケースにおいて
前記把持部を前記軸に対し回動自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０００５】
請求項３に記載の発明は
請求項１及び２に記載のいずれかの
滑動自在な把持部を備えた携帯情報端末ケースにおいて
把持部の角度を変更自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０００６】
請求項４に記載の発明は
請求項１から３に記載のいずれかの
滑動自在な把持部を備えた携帯情報端末ケースにおいて
滑動範囲を変更自在にするストッパーを前記携帯情報端末ケースの軸の一部に
さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０００７】
請求項５に記載の発明は
ケース本体の一部に案内溝を設け
前記案内溝を自在に滑動する滑動部を備えた把持部を
さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０００８】
請求項６に記載の発明は
ケース本体の一部に内側に向かい合う案内溝を設け
向かい合った前記案内溝の間を自在に滑動する滑動部を備えた把持部を
さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０００９】
請求項７に記載の発明は
ケース本体の一部に内側に向かい合う案内溝を設け
向かい合った前記案内溝の間を自在に滑動する板状の滑動部を設け
、前記板状の滑動部の一部にさらに案内溝を設け、前記滑動部の前記案内溝
に把持部を上下左右斜めへ滑動、回動を自在に連結して設けたことを
特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００１０】
請求項８に記載の発明は
請求項５から７に記載のいずれかの
滑動自在な把持部を備えた携帯情報端末ケースにおいて
前記案内溝を滑動する前記滑動部に車輪をさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００１１】
請求項９に記載の発明は
請求項５から８に記載のいずれかの
滑動自在な把持部を備えた携帯情報端末ケースにおいて
把持部の角度を変更自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００１２】
請求項１０に記載の発明は
ケース本体の一部に案内溝を設け
前記案内溝を滑動するカバー状の滑動部をさらに設け
前記カバー状の滑動部にさらに把持部を設けたことを
特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００１３】
請求項１１に記載の発明は
ケース本体の一部に案内溝を設け
前記案内溝を滑動するカバー状の滑動部をさらに設け
前記カバー状の滑動部の一部に案内溝をさらに設け
前記カバー状の滑動部の前記案内溝に把持部を上下左右斜めへ滑動、回動を自在に連結し
て設けたことを
特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００１４】
請求項１２に記載の発明は
請求項１０及び請求項１１に記載のいずれかの
滑動自在な把持部を備えた携帯情報端末ケースにおいて
把持部の角度を変更自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００１５】
請求項１３に記載の発明は
請求項１０から請求項１２に記載のいずれかの
滑動自在な把持部を備えた携帯情報端末ケースにおいて
滑動範囲を変更自在にするストッパーを前記携帯情報端末ケースの一部に
さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【００１６】
請求項１４に記載の発明は
ケース本体の一部に案内窓を備えた箱を設け
前記箱の案内窓に沿って前記箱の中を自在に滑動する滑動部
を備えた把持部を前記ケースの一部にさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００１７】
請求項１５に記載の発明は
ケース本体の一部に案内窓を備えた箱を設け
さらに前記箱の中を自在に滑動する滑動部を設け
前記滑動部と連結して前記箱に備えた案内窓を滑動する
把持部さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００１８】
請求項１６に記載の発明は
請求項１４及び請求項１５に記載のいずれかの
滑動自在な把持部を備えた携帯情報端末ケースにおいて
前記滑動部を前記箱の中で回動自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００１９】
請求項１７に記載の発明は
請求項１４から請求項１６に記載のいずれかの
滑動自在な把持部を備えた携帯情報端末ケースにおいて
把持部の角度を変更自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００２０】
請求項１８に記載の発明は
請求項１４から請求項１７に記載のいずれかの
滑動自在な把持部を備えた携帯情報端末ケースにおいて
滑動範囲を変更自在にするストッパーを前記携帯情報端末ケースの箱の一部に
さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【００２１】
請求項１９に記載の発明は
請求項１４から請求項１８に記載のいずれかの
滑動自在な把持部を備えた携帯情報端末ケースにおいて
箱の形状を問わないことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００２２】
請求項２０に記載の発明は
請求項１４から請求項１９に記載のいずれかの
滑動自在な把持部を備えた携帯情報端末ケースにおいて
箱を空間スペースとすることを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００２３】
請求項２１に記載の発明は
ケース本体の一部に前記ケースとの間に隙間を開けて略U字状の枠を設け
前記略U字状の枠の内側の幅より大きく
前記略U字状の枠の内側の間を自在に滑動する滑動部をさらに設け
前記滑動部に把持部をさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００２４】
請求項２２に記載の発明は
ケース本体の一部に前記ケースとの間に隙間を開けて略U字状の枠を設け
前記略U字状の枠の内側の幅より大きく
前記略U字状の枠の内側の間を自在に滑動する滑動部をさらに設け
前記滑動部に把持部を連結してさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００２５】
請求項２３に記載の発明は
請求項２１から請求項２２に記載のいずれかの
滑動自在な把持部を備えた携帯情報端末ケースにおいて
滑動部を滑動自在に支える
枠の形状に制限を設けないことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００２６】
請求項２４に記載の発明は
ケース本体の一部に前記ケースとの間に隙間を開けて枠と枠を設け
前記枠と枠の間の幅より大きく
前記枠と枠の間を自在に滑動する滑動部をさらに設け
前記滑動部に把持部をさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００２７】
請求項２５に記載の発明は
ケース本体の一部に枠と枠の間に隙間を開けた略U字状の二重枠を設け
前記略U字状の二重枠の内側の幅より大きく
前記略U字状の二重枠の内側の間と前記隙間を自在に滑動する滑動部をさらに設け
前記滑動部に把持部をさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００２８】
請求項２６に記載の発明は
請求項２４から請求項２５に記載のいずれかの
滑動自在な把持部を備えた携帯情報端末ケースにおいて
滑動部を滑動自在に支える
二重枠の形状に制限を設けないことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００２９】
請求項２７に記載の発明は
ケース本体の一部に
隙間を持たせて二重に設けた枠を２セット設け
さらに前記２つの二重枠に一定の間を開けて設け
前記二重枠の間の幅より大きく
前記二重枠間と前記二重枠の隙間を自在に滑動する滑動部をさらに設け
前記滑動部に把持部をさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００３０】
請求項２８に記載の発明は
請求項２５から請求項２７に記載のいずれかの
滑動自在な把持部を備えた携帯情報端末ケースにおいて
二重枠を複数層の枠とすることを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００３１】
請求項２９に記載の発明は
請求項２１から請求項２８に記載のいずれかの
滑動自在な把持部を備えた携帯情報端末ケースにおいて
滑動部を回動自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００３２】
請求項３０に記載の発明は
請求項２１から請求項２９に記載のいずれかの
滑動自在な把持部を備えた携帯情報端末ケースにおいて
把持部の角度を変更自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００３３】
請求項３１に記載の発明は
請求項２１から請求項３０に記載のいずれかの
滑動自在な把持部を備えた携帯情報端末ケースにおいて
滑動範囲を変更自在にするストッパーを前記携帯情報端末ケースの一部に
さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【００３４】
請求項３２に記載の発明は
請求項２１から請求項３１に記載のいずれかの
滑動自在な把持部を備えた携帯情報端末ケースにおいて
枠の数を複数個とすることを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００３５】
請求項３３に記載の発明は
請求項２１から請求項３２に記載のいずれかの
滑動自在な把持部を備えた携帯情報端末ケースにおいて
滑動部にネジ溝をさらに設け、前記ネジ溝と係合する
ネジ部を把持部の一部にさらに備え
前記把持部に備えたネジ部の一端に滑り止め部をさらに設け
たとすることを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００３６】
請求項３４に記載の発明は
請求項２１から請求項３３に記載のいずれかの
滑動自在な把持部を備えた携帯情報端末ケースにおいて
滑動部に凹凸部をさらに設け、前記凹凸部と係合する
凹凸部を把持部の一部にさらに備え
前記把持部に備えた凹凸部の一端に滑り止め部をさらに設け
たとすることを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００３７】
請求項３５に記載の発明は
請求項２１から請求項３４に記載のいずれかの
滑動自在な把持部を備えた携帯情報端末ケースにおいて
前記を枠を前記ケースから着脱自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００３８】
請求項３６に記載の発明は
請求項２１から請求項３５に記載のいずれかの
滑動自在な把持部を備えた携帯情報端末ケースにおいて
前記枠を前記ケースと開け閉め自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００３９】
請求項３７に記載の発明は
ケース本体の一部に開口部を備えた空間スペースを設け
前記空間スペースの開口部の幅より大きく
前記開口部を滑動自在に挟んで滑動部を設け
前記滑動部に把持部をさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００４０】
請求項３８に記載の発明は
ケース本体の一部に前記ケースとの間に空間スペースと開口部を備えた蓋を設け前記蓋の
開口部の幅より大きく
前記開口部を滑動自在に挟んで滑動部を設け
前記滑動部に把持部をさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００４１】
請求項３９に記載の発明は
ケース本体の一部に開口部を備えた空間スペースを設け
前記空間スペースの開口部の幅より大きく
前記空間スペースを自在に滑動する滑動部をさらに設け
前記開口部の範囲で滑動自在に把持する把持部を
前記滑動部にさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００４２】
請求項４０に記載の発明は
ケース本体の一部に前記ケースとの間に空間スペースと開口部を備えた蓋を設け前記蓋の
開口部の幅より大きく
前記蓋とケースとの空間スペースを自在に滑動する滑動部をさらに設け
前記開口部の範囲で滑動自在に把持する把持部を
前記滑動部にさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００４３】
請求項４１に記載の発明は
請求項３７及び請求項３９に記載のいずれかの
滑動自在な把持部を備えた携帯情報端末ケースにおいて
滑動部を空間スペースの中で回動自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００４４】
請求項４２に記載の発明は
請求項３８及び４０に記載のいずれかの
滑動自在な把持部を備えた携帯情報端末ケースにおいて
滑動部を開口部の中で回動自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００４５】
請求項４３に記載の発明は
請求項３７から請求項４２に記載のいずれかの
滑動自在な把持部を備えた携帯情報端末ケースにおいて
把持部の角度を変更自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００４６】
請求項４４に記載の発明は
請求項３７及び４３に記載のいずれかの
滑動自在な把持部を備えた携帯情報端末ケースにおいて
滑動範囲を変更自在にするストッパーを前記携帯情報端末ケースの一部に
さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【００４７】
請求項４５に記載の発明は
請求項３７から請求項４４に記載のいずれかの
滑動自在な把持部を備えた携帯情報端末ケースにおいて
前記蓋を前記ケースから着脱自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００４８】
請求項４６に記載の発明は
請求項３７から請求項４５に記載のいずれかの
滑動自在な把持部を備えた携帯情報端末ケースにおいて
前記蓋を前記ケースと開け閉め自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００４９】
請求項４７に記載の発明は
ケース本体の一部に軸を設け、前記軸に沿って自在に滑動する
軸部を備えた滑動部を設け
前滑動部に備えた軸部を自在に滑動する把持部を設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００５０】
請求項４８に記載の発明は
請求項４７に記載の
滑動自在な把持部を備えた携帯情報端末ケースにおいて
前記把持部を回動自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００５１】
請求項４９に記載の発明は
請求項４７及び請求項４８に記載のいずれかの
滑動自在な把持部を備えた携帯情報端末ケースにおいて
把持部の角度を変更自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００５２】
請求項５０に記載の発明は
請求項４７から請求項４９に記載のいずれかの
滑動自在な把持部を備えた携帯情報端末ケースにおいて
滑動範囲を変更自在にするストッパーを前記携帯情報端末ケースの一部に
さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【００５３】
請求項５１に記載の発明は
ケース本体の一部に滑動自在な把持部を備えた回動自在な板を設けたことを特徴とする滑
動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００５４】
請求項５２に記載の発明は
ケース本体の一部に上下左右斜めへ滑動自在な把持部を備えた回動自在な板を設けたこと
を特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００５５】
請求項５３に記載の発明は
請求項５１及び請求項５２に記載のいずれかの
滑動自在な把持部を備えた携帯情報端末ケースにおいて
回動自在な板の回動を止める爪を
前記回動自在な板の一部に設け
前記回転自在な板の前記爪を吸着して止める吸着部をケース本体の一部にさらに設けたこ
とを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００５６】
請求項５４に記載の発明は
請求項５１から請求項５３に記載のいずれかの
滑動自在な把持部を備えた携帯情報端末ケースにおいて
滑動部に車輪を設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００５７】
請求項５５に記載の発明は
請求項５１から請求項５４に記載のいずれかの
滑動自在な把持部を備えた携帯情報端末ケースにおいて
端末保持側のケースと把持部側のケースからなることを
特徴とする滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００５８】
請求項５６に記載の発明は
請求項５１から請求項５５に記載のいずれかの
滑動自在な把持部を備えた携帯情報端末ケースにおいて
把持部側のケースに端末保持側のケースを着脱自在、追加自在にする装着部をさらに設け
たことを
特徴とする滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００５９】
請求項５７に記載の発明は
請求項５１から請求項５６に記載のいずれかの
滑動自在な把持部を備えた携帯情報端末ケースにおいて
手帳型ケースとしたことを特徴とする滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００６０】
請求項５８に記載の発明は
請求項５１から請求項５７に記載のいずれかの
滑動自在な把持部を備えた携帯情報端末ケースにおいて
端末保持ケースの一部に、保持した携帯情報端末の操作を自在する窓を設けたことを特徴
とする滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００６１】
請求項５９に記載の発明は
請求項５１から請求項５８に記載のいずれかの
滑動自在な把持部を備えた携帯情報端末ケースにおいて
滑動部を回動自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００６２】
請求項６０に記載の発明は
請求項５１から請求項５９に記載のいずれかの
滑動自在な把持部を備えた携帯情報端末ケースにおいて
把持部の角度を変更自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００６３】
請求項６１に記載の発明は
請求項５１から請求項６０に記載のいずれかの
滑動自在な把持部を備えた携帯情報端末ケースにおいて
滑動範囲を変更自在にするストッパーを前記携帯情報端末ケースの箱の一部に
さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【００６４】
請求項６２に記載の発明は
請求項５１から請求項６１に記載のいずれかの
滑動自在な把持部を備えた携帯情報端末ケースにおいて
ケースを手帳型バンパーとしたことを特徴とする滑動自在な把持部を備えた携帯情報端末
バンパー
である
これにより把持部に手の指を通して
把持し手のひらの角度を変えることで把持部が滑動
することで携帯情報端末の画面に指が届く範囲を広く
することができる。
【００６５】
請求項６３に記載の発明は
ケース本体の一部に
複数個の接続穴を設け
前記接続穴に着脱自在に接続する
軸を前記接続穴に設け、前記軸を自在に滑動する
把持部をさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００６６】
請求項６４に記載の発明は
請求項６３に記載の
滑動自在な把持部を備えた携帯情報端末ケースにおいて
前記把持部を前記軸に回動自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００６７】
請求項６５に記載の発明は
請求項６３及び請求項６４に記載のいずれかの
滑動自在な把持部を備えた携帯情報端末ケースにおいて
把持部の角度を変更自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００６８】
請求項６６に記載の発明は
請求項６３から請求項６５に記載のいずれかの
滑動自在な把持部を備えた携帯情報端末ケースにおいて
滑動範囲を変更自在にするストッパーを前記携帯情報端末ケースの軸の一部に
さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【００６９】
請求項６７に記載の発明は
ケース本体の一部に案内窓を備えた回動自在な箱を設け
前記回動自在な箱の案内窓に沿って前記箱の中を自在に滑動する滑動部
を備えた把持部を前記ケースの一部にさらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００７０】
請求項６８に記載の発明は
ケース本体の一部に案内窓を備えた回動自在な箱を設け
さらに前記回動自在な箱の中を自在に滑動する滑動部を設け
前記滑動部と連結して前記箱に備えた案内窓を滑動する
把持部さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００７１】
請求項６９に記載の発明は
請求項６７及び請求項６８に記載のいずれかの
滑動自在な把持部を備えた携帯情報端末ケースにおいて
滑動部を回動自在な箱の中で回動自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００７２】
請求項７０に記載の発明は
請求項６７から請求項６９に記載のいずれかの
滑動自在な把持部を備えた携帯情報端末ケースにおいて
把持部の角度を変更自在に設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００７３】
請求項７１に記載の発明は
請求項６７から請求項７０に記載のいずれかの
滑動自在な把持部を備えた携帯情報端末ケースにおいて
滑動範囲を変更自在にするストッパーを前記携帯情報端末ケースの箱の一部に
さらに設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【００７４】
請求項７２に記載の発明は
請求項６７から請求項７１に記載のいずれかの
滑動自在な把持部を備えた携帯情報端末ケースにおいて
箱の形状を問わないことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００７５】
請求項７３に記載の発明は
ケース本体の一部に滑動自在な把持部具を設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００７６】
請求項７４に記載の発明は
ケース本体の一部に摺動自在な把持部具を設けたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００７７】
請求項７５に記載の発明は
請求項１から７４請求項に記載のいずれかの
滑動自在な把持部を備えた携帯情報端末ケースにおいて
滑動部を摺動自在としたことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【００７８】
請求項７６に記載の発明は
バンパー本体の一部に滑動自在な把持部具を設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００７９】
請求項７７に記載の発明は
バンパー本体の一部に摺動自在な把持部具を設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００８０】
請求項７８に記載の発明は
バンパー本体の一部に案内溝を周設して設け、前記案内溝に沿って自在に滑動する把持部
をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００８１】
請求項７９に記載の発明は
バンパー本体の側面に案内溝を周設して設け、前記案内溝に沿って自在に滑動する把持部
をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００８２】
請求項８０に記載の発明は
請求項７８及び請求項７９に記載のいずれかの
滑動自在な把持部を備えた携帯情報端末バンパーにおいて
前記把持部をバンパーの一部としての機能を持たせた状態で前記バンパーに収納自在に設
けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００８３】
請求項８１に記載の発明は
請求項７８から請求項８０に記載のいずれかの
滑動自在な把持部を備えた携帯情報端末バンパーにおいて
前記把持部を収納自在にする収納溝を前記案内溝の一部に設け
たことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００８４】
請求項８２に記載の発明は
請求項７８から請求項８１に記載のいずれかの
滑動自在な把持部を備えた携帯情報端末バンパーにおいて
前記把持部を回動自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００８５】
請求項８３に記載の発明は
請求項７８から請求項８２に記載のいずれかの
滑動自在な把持部を備えた携帯情報端末バンパーにおいて
把持部の角度を変更自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００８６】
請求項８４に記載の発明は
請求項７８から請求項８３に記載のいずれかの
滑動自在な把持部を備えた携帯情報端末バンパーにおいて
滑動範囲を変更自在にするストッパーを前記携帯情報端末バンパーの一部に
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【００８７】
請求項８５に記載の発明は
バンパー本体の一部に前記バンパーに装着した携帯情報端末との間に隙間を開けて略U字
状の枠を設け
前記略U字状の枠の内側の幅より大きく
前記略U字状の枠の内側の間を自在に滑動する滑動部をさらに設け
前記滑動部に把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００８８】
請求項８６に記載の発明は
バンパー本体の一部に前記バンパーに装着した携帯情報端末との間に隙間を開けて略U字
状の枠を設け
前記略U字状の枠の内側の幅より大きく
前記略U字状の枠の内側の間を自在に滑動する滑動部をさらに設け
前記滑動部に把持部を連結してさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００８９】
請求項８７に記載の発明は
請求項８５から請求項８６に記載のいずれかの
滑動自在な把持部を備えた携帯情報端末バンパーにおいて
滑動部を滑動自在に支える
枠の形状に制限を設けないことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００９０】
請求項８８に記載の発明は
バンパー本体の一部に前記バンパーに装着した携帯情報端末との間に隙間を開けて枠と枠
を設け
前記枠と枠の間の幅より大きく
前記枠と枠の間を自在に滑動する滑動部をさらに設け
前記滑動部に把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００９１】
請求項８９に記載の発明は
バンパー本体の一部に枠と枠の間に隙間を開けた略U字状の二重枠を設け
前記略U字状の二重枠の内側の幅より大きく
前記略U字状の二重枠の内側の間と前記隙間を自在に滑動する滑動部をさらに設け
前記滑動部に把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００９２】
請求項９０に記載の発明は
請求項８９に記載の
滑動自在な把持部を備えた携帯情報端末バンパーにおいて
滑動部を滑動自在に支える
二重枠の形状に制限を設けないことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００９３】
請求項９１に記載の発明は
バンパー本体の一部に
隙間を持たせて二重に設けた枠を２セット設け
さらに前記２つの二重枠に一定の間を開けて設け
前記二重枠の間の幅より大きく
前記二重枠間と前記二重枠の隙間を自在に滑動する滑動部をさらに設け
前記滑動部に把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００９４】
請求項９２に記載の発明は
請求項８９から請求項９１に記載のいずれかの
滑動自在な把持部を備えた携帯情報端末バンパーにおいて
二重枠を複数層の枠とすることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００９５】
請求項９３に記載の発明は
請求項８５から請求項９２に記載のいずれかの
滑動自在な把持部を備えた携帯情報端末バンパーにおいて
滑動部を回動自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００９６】
請求項９４に記載の発明は
請求項８５から請求項９３に記載のいずれかの
滑動自在な把持部を備えた携帯情報端末バンパーにおいて
把持部の角度を変更自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００９７】
請求項９５に記載の発明は
請求項８５から請求項９４に記載のいずれかの
滑動自在な把持部を備えた携帯情報端末バンパーにおいて
滑動範囲を変更自在にするストッパーを前記携帯情報端末ケースの一部に
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【００９８】
請求項９６に記載の発明は
請求項８５から請求項９５に記載のいずれかの
滑動自在な把持部を備えた携帯情報端末バンパーにおいて
枠の数を複数個とすることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【００９９】
請求項９７に記載の発明は
請求項８５から請求項９６に記載のいずれかの
滑動自在な把持部を備えた携帯情報端末バンパーにおいて
滑動部にネジ溝をさらに設け、前記ネジ溝と係合する
ネジ部を把持部の一部にさらに備え
前記把持部に備えたネジ部の一端に滑り止め部をさらに設け
たとすることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１００】
請求項９８に記載の発明は
請求項８５から請求項９７に記載のいずれかの
滑動自在な把持部を備えた携帯情報端末バンパーにおいて
滑動部に凹凸部をさらに設け、前記凹凸部と係合する
凹凸部を把持部の一部にさらに備え
前記把持部に備えた凹凸部の一端に滑り止め部をさらに設け
たとすることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１０１】
請求項９９に記載の発明は
請求項８５から請求項９８に記載のいずれかの
滑動自在な把持部を備えた携帯情報端末バンパーにおいて
前記枠を前記バンパーから着脱自在に設けたことを特徴とする
である
これにより把持部に手の指を通して
把持し手のひらの角度を変えることで把持部が滑動
することで携帯情報端末の画面に指が届く範囲を広く
することができる。
【０１０２】
請求項１００に記載の発明は
請求項８５から請求項９９に記載のいずれかの
滑動自在な把持部を備えた携帯情報端末バンパーにおいて
前記枠を前記バンパーと開け閉め自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１０３】
請求項１０１に記載の発明は
バンパー本体の一部に
複数個の接続穴を備えた板を設け
前記板の接続穴に着脱自在に接続する
軸を前記板の接続穴に設け、前記軸を自在に滑動する
把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１０４】
請求項１０２に記載の発明は
請求項１０１に記載の
滑動自在な把持部を備えた携帯情報端末バンパーにおいて
前記把持部を前記軸に回動自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１０５】
請求項１０３に記載の発明は
請求項１０１及び請求項１０２に記載のいずれかの
滑動自在な把持部を備えた携帯情報端末バンパーにおいて
把持部の角度を変更自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１０６】
請求項１０４に記載の発明は
請求項１０１から請求項１０３に記載のいずれかの
滑動自在な把持部を備えた携帯情報端末バンパーにおいて
滑動範囲を変更自在にするストッパーを前記携帯情報端末ケースの軸の一部に
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０１０７】
請求項１０５に記載の発明は
バンパー本体の一部に案内窓を備えた箱を設け
前記箱の案内窓に沿って前記箱の中を自在に滑動する滑動部
を備えた把持部を前記バンパーの一部にさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１０８】
請求項１０６に記載の発明は
バンパー本体の一部に案内窓を備えた箱を設け
さらに前記箱の中を自在に滑動する滑動部を設け
前記滑動部と連結して前記箱に備えた案内窓を滑動する
把持部さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１０９】
請求項１０７に記載の発明は
請求項１０５及び請求項１０６に記載のいずれかの
滑動自在な把持部を備えた携帯情報端末バンパーにおいて
前記滑動部を前記箱の中での中で回動自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１１０】
請求項１０８に記載の発明は
請求項１０５から請求項１０７に記載のいずれかの
滑動自在な把持部を備えた携帯情報端末バンパーにおいて
把持部の角度を変更自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１１１】
請求項１０９に記載の発明は
請求項１０５から請求項１０８に記載のいずれかの
滑動自在な把持部を備えた携帯情報端末バンパーにおいて
滑動範囲を変更自在にするストッパーを前記携帯情報端末ケースの箱の一部に
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０１１２】
請求項１１０に記載の発明は
請求項１０５から請求項１０９に記載のいずれかの
滑動自在な把持部を備えた携帯情報端末バンパーにおいて
箱の形状を問わないことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１１３】
請求項１１１に記載の発明は
請求項１０５から請求項１１０に記載のいずれかの
滑動自在な把持部を備えた携帯情報端末バンパーにおいて
箱を空間スペースとすることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１１４】
請求項１１２に記載の発明は
バンパー本体の一部に案内窓を備えた回動自在な箱を設け
前記回動自在な箱の案内窓に沿って前記箱の中を自在に滑動する滑動部
を備えた把持部を前記ケースの一部にさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１１５】
請求項１１３に記載の発明は
バンパー本体の一部に案内窓を備えた回動自在な箱を設け
さらに前記回動自在な箱の中を自在に滑動する滑動部を設け
前記滑動部と連結して前記箱に備えた案内窓を滑動する
把持部さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１１６】
請求項１１４に記載の発明は
請求項１１２から請求項１１３に記載のいずれかの
滑動自在な把持部を備えた携帯情報端末バンパーにおいて
滑動部を回動自在な箱の中で回動自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１１７】
請求項１１５に記載の発明は
請求項１１２から請求項１１４に記載のいずれかの
滑動自在な把持部を備えた携帯情報端末バンパーにおいて
把持部の角度を変更自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１１８】
請求項１１６に記載の発明は
請求項１１２から請求項１１５に記載のいずれかの
滑動自在な把持部を備えた携帯情報端末バンパーにおいて
滑動範囲を変更自在にするストッパーを前記携帯情報端末ケースの箱の一部に
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０１１９】
請求項１１７に記載の発明は
請求項１１２から請求項１１６に記載のいずれかの
滑動自在な把持部を備えた携帯情報端末バンパーにおいて
箱の形状を問わないことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１２０】
請求項１１８に記載の発明は
バンパー本体の一部に軸を設け、前記軸に沿って自在に滑動する
把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１２１】
請求項１１９に記載の発明は
バンパー本体の一部に滑動枠を設け、前記滑動枠に沿って自在に滑動する
把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１２２】
請求項１２０に記載の発明は
請求項１１８から請求項１１９に記載のいずれかの
滑動自在な把持部を備えた携帯情報端末バンパーにおいて
前記把持部を前記軸に対し回動自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１２３】
請求項１２１に記載の発明は
請求項１１８から請求項１２０に記載のいずれかの
滑動自在な把持部を備えた携帯情報端末バンパーにおいて
把持部の角度を変更自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１２４】
請求項１２２に記載の発明は
請求項１１８から請求項１２１に記載のいずれかの
滑動自在な把持部を備えた携帯情報端末バンパーにおいて
滑動範囲を変更自在にするストッパーを前記携帯情報端末ケースの軸の一部に
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０１２５】
請求項１２３に記載の発明は
バンパー本体の一部に案内溝を設け
前記案内溝を自在に滑動する滑動部を備えた把持部を
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１２６】
請求項１２４に記載の発明は
バンパー本体の一部に内側に向かい合う案内溝を設け
向かい合った前記案内溝の間を自在に滑動する滑動部を備えた把持部を
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１２７】
請求項１２５に記載の発明は
バンパー本体の一部に内側に向かい合う案内溝を設け
向かい合った前記案内溝の間を自在に滑動する板状の滑動部を設け
、前記板状の滑動部の一部にさらに案内溝を設け、前記板状の滑動部の前記案内溝に把持
部を上下左右斜めへ滑動、回動を自在に連結して設けたことを
特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１２８】
請求項１２６に記載の発明は
バンパー本体の一部に内側に向かい合う案内溝を設け
向かい合った前記案内溝の間を自在に滑動する板状の滑動部を設け
、前記板状の滑動部の一部にさらに案内軸を設け、前記板状の滑動部の前記案内軸
に把持部を上下左右斜めへ滑動、回動を自在に連結して設けたことを
特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１２９】
請求項１２７に記載の発明は
バンパー本体の一部に内側に向かい合う案内溝を設け
向かい合った前記案内溝の間を自在に滑動する板状の滑動部を設け
、前記板状の滑動部の一部にさらに滑動枠を設け、前記板状の滑動部の前記かつ滑動枠
に把持部を上下左右斜めへ滑動、回動を自在に連結して設けたことを
特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１３０】
請求項１２８に記載の発明は
請求項１２６から請求項１２７に記載のいずれかの
滑動自在な把持部を備えた携帯情報端末バンパーにおいて
前記案内溝を滑動する前記滑動部に車輪をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１３１】
請求項１２９に記載の発明は
請求項１２６から請求項１２８に記載のいずれかの
滑動自在な把持部を備えた携帯情報端末バンパーにおいて
把持部の角度を変更自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１３２】
請求項１３０に記載の発明は
バンパー本体の一部に案内溝を設け
前記案内溝を滑動するカバー状の滑動部をさらに設け
前記カバー状の滑動部にさらに把持部を設けたことを
特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１３３】
請求項１３１に記載の発明は
バンパー本体の一部に案内溝を設け
前記案内溝を滑動するカバー状の滑動部をさらに設け
前記カバー状の滑動部の一部に案内溝をさらに設け
前記カバー状の滑動部の前記案内溝に把持部を上下左右斜めへ滑動、回動を自在に連結し
て設けたことを
特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１３４】
請求項１３２に記載の発明は
バンパー本体の一部に案内溝を設け
前記案内溝を滑動するカバー状の滑動部をさらに設け
前記カバー状の滑動部の一部に案内軸をさらに設け
前記カバー状の滑動部の前記案内軸に把持部を上下左右斜めへ滑動、回動を自在に連結し
て設けたことを
特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１３５】
請求項１３３に記載の発明は
バンパー本体の一部に案内溝を設け
前記案内溝を滑動するカバー状の滑動部をさらに設け
前記カバー状の滑動部の一部に滑動枠をさらに設け
前記カバー状の滑動部の前記滑動枠に把持部を上下左右斜めへ滑動、回動を自在に連結し
て設けたことを
特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１３６】
請求項１３４に記載の発明は
請求項１３０から請求項１３３に記載のいずれかの
滑動自在な把持部を備えた携帯情報端末バンパーにおいて
把持部の角度を変更自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１３７】
請求項１３５に記載の発明は
請求項１３０から請求項１３４に記載のいずれかの
滑動自在な把持部を備えた携帯情報端末バンパーにおいて
滑動範囲を変更自在にするストッパーを前記携帯情報端末バンパーの一部に
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０１３８】
請求項１３６に記載の発明は
バンパー本体の一部に案内軸を設け
前記案内軸を滑動するカバー状の滑動部をさらに設け
前記カバー状の滑動部にさらに把持部を設けたことを
特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１３９】
請求項１３７に記載の発明は
バンパー本体の一部に案内軸を設け
前記案内軸を滑動するカバー状の滑動部をさらに設け
前記カバー状の滑動部の一部に案内溝をさらに設け
前記カバー状の滑動部の前記案内溝に把持部を上下左右斜めへ滑動、回動を自在に連結し
て設けたことを
特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１４０】
請求項１３８に記載の発明は
バンパー本体の一部に案内軸を設け
前記案内軸を滑動するカバー状の滑動部をさらに設け
前記カバー状の滑動部の一部に案内軸をさらに設け
前記カバー状の滑動部の前記案内軸に把持部を上下左右斜めへ滑動、回動を自在に連結し
て設けたことを
特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１４１】
請求項１３９に記載の発明は
請求項１３６から請求項１３８に記載のいずれかの
滑動自在な把持部を備えた携帯情報端末バンパーにおいて
把持部の角度を変更自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１４２】
請求項１４０に記載の発明は
請求項１３６から請求項１３９に記載のいずれかの
滑動自在な把持部を備えた携帯情報端末バンパーにおいて
滑動範囲を変更自在にするストッパーを前記携帯情報端末バンパーの一部に
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０１４３】
請求項１４１に記載の発明は
バンパー本体の一部に前記バンパーに装着した携帯情報端末との間に隙間を開けて略U字
状の枠を設け
前記略U字状の枠の内側の幅より大きく
前記略U字状の枠の内側の間を自在に滑動する滑動部をさらに設け
前記滑動部に把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１４４】
請求項１４２に記載の発明は
バンパー本体の一部に前記バンパーに装着した携帯情報端末との間に隙間を開けて略U字
状の枠を設け
前記略U字状の枠の内側の幅より大きく
前記略U字状の枠の内側の間を自在に滑動する滑動部をさらに設け
前記滑動部に把持部を連結してさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１４５】
請求項１４３に記載の発明は
請求項１４１から請求項１４２に記載のいずれかの
滑動自在な把持部を備えた携帯情報端末バンパーにおいて
滑動部を滑動自在に支える
枠の形状に制限を設けないことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１４６】
請求項１４４に記載の発明は
バンパー本体の一部に前記バンパーとの間に隙間を開けて枠と枠を設け
前記枠と枠の間の幅より大きく
前記枠と枠の間を自在に滑動する滑動部をさらに設け
前記滑動部に把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１４７】
請求項１４５に記載の発明は
バンパー本体の一部に枠と枠の間に隙間を開けた略U字状の二重枠を設け
前記略U字状の二重枠の内側の幅より大きく
前記略U字状の二重枠の内側の間と前記隙間を自在に滑動する滑動部をさらに設け
前記滑動部に把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１４８】
請求項１４６に記載の発明は
請求項１４５に記載の
滑動自在な把持部を備えた携帯情報端末バンパーにおいて
滑動部を滑動自在に支える
二重枠の形状に制限を設けないことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１４９】
請求項１４７に記載の発明は
バンパー本体の一部に
隙間を持たせて二重に設けた枠を２セット設け
さらに前記２つの二重枠に一定の間を開けて設け
前記二重枠の間の幅より大きく
前記二重枠間と前記二重枠の隙間を自在に滑動する滑動部をさらに設け
前記滑動部に把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１５０】
請求項１４８に記載の発明は
請求項１４５から請求項１４７に記載のいずれかの
滑動自在な把持部を備えた携帯情報端末バンパーにおいて
二重枠を複数層の枠とすることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１５１】
請求項１４９に記載の発明は
請求項１４５から請求項１４８に記載のいずれかの
滑動自在な把持部を備えた携帯情報端末バンパーにおいて
滑動部を回動自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１５２】
請求項１５０に記載の発明は
請求項１４５から請求項１４９に記載のいずれかの
滑動自在な把持部を備えた携帯情報端末バンパーにおいて
把持部の角度を変更自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１５３】
請求項１５１に記載の発明は
請求項１４５から請求項１５０に記載のいずれかの
滑動自在な把持部を備えた携帯情報端末バンパーにおいて
滑動範囲を変更自在にするストッパーを前記携帯情報端末バンパーの一部に
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０１５４】
請求項１５２に記載の発明は
請求項１４１から請求項１５１に記載のいずれかの
滑動自在な把持部を備えた携帯情報端末バンパーにおいて
枠の数を複数個とすることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１５５】
請求項１５３に記載の発明は
請求項１４１から請求項１５２に記載のいずれかの
滑動自在な把持部を備えた携帯情報端末バンパーにおいて
滑動部にネジ溝をさらに設け、前記ネジ溝と係合する
ネジ部を把持部の一部にさらに備え
前記把持部に備えたネジ部の一端に滑り止め部をさらに設け
たとすることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１５６】
請求項１５４に記載の発明は
請求項１４１から請求項１５３に記載のいずれかの
滑動自在な把持部を備えた携帯情報端末バンパーにおいて
滑動部に凹凸部をさらに設け、前記凹凸部と係合する
凹凸部を把持部の一部にさらに備え
前記把持部に備えた凹凸部の一端に滑り止め部をさらに設け
たとすることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１５７】
請求項１５５に記載の発明は
請求項１４１から請求項１５４に記載のいずれかの
滑動自在な把持部を備えた携帯情報端末バンパーにおいて
前記枠を前記バンパーから着脱自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１５８】
請求項１５６に記載の発明は
請求項１４１から請求項１５５に記載のいずれかの
滑動自在な把持部を備えた携帯情報端末バンパーにおいて
前記枠を前記バンパーと開け閉め自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１５９】
請求項１５７に記載の発明は
バンパー本体の一部に開口部を備えた空間スペースを設け
前記空間スペースの開口部の幅より大きく
前記開口部を滑動自在に挟んで滑動部を設け
前記滑動部に把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１６０】
請求項１５８に記載の発明は
バンパー本体の一部に前記バンパーとの間に空間スペースと開口部を備えた蓋を設け前記
蓋の開口部の幅より大きく
前記開口部を滑動自在に挟んで滑動部を設け
前記滑動部に把持部をさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１６１】
請求項１５９に記載の発明は
バンパー本体の一部に開口部を備えた空間スペースを設け
前記空間スペースの開口部の幅より大きく
前記空間スペースを自在に滑動する滑動部をさらに設け
前記開口部の範囲で滑動自在に把持する把持部を
前記滑動部にさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１６２】
請求項１６０に記載の発明は
バンパー本体の一部に前記バンパーとの間に空間スペースと開口部を備えた蓋を設け前記
蓋の開口部の幅より大きく
前記蓋とバンパーとの空間スペースを自在に滑動する滑動部をさらに設け
前記開口部の範囲で滑動自在に把持する把持部を
前記滑動部にさらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１６３】
請求項１６１に記載の発明は
請求項１５７及び請求項１５８に記載のいずれかの
滑動自在な把持部を備えた携帯情報端末バンパーにおいて
滑動部を空間スペースの中で回動自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１６４】
請求項１６２に記載の発明は
請求項１５９及び請求項１６０に記載のいずれかの
滑動自在な把持部を備えた携帯情報端末バンパーにおいて
滑動部を開口部の中で回動自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１６５】
請求項１６３に記載の発明は
請求項１５７から請求項１６２に記載のいずれかの
滑動自在な把持部を備えた携帯情報端末バンパーにおいて
把持部の角度を変更自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１６６】
請求項１６４に記載の発明は
請求項１５７から請求項１６３に記載のいずれかの
滑動自在な把持部を備えた携帯情報端末バンパーにおいて
滑動範囲を変更自在にするストッパーを前記携帯情報端末バンパーの一部に
さらに設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０１６７】
請求項１６５に記載の発明は
請求項１５７から請求項１６４に記載のいずれかの
滑動自在な把持部を備えた携帯情報端末バンパーにおいて
前記蓋を前記バンパーから着脱自在に設けたことを特徴とする
である
これにより把持部に手の指を通して
把持し手のひらの角度を変えることで把持部が滑動
することで携帯情報端末の画面に指が届く範囲を広く
することができる。
【０１６８】
請求項１６６に記載の発明は
請求項１５７から請求項１６５に記載のいずれかの
滑動自在な把持部を備えた携帯情報端末バンパーにおいて
前記蓋を前記バンパーと開け閉め自在に設けたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１６９】
請求項１６７に記載の発明は
請求項１７６から請求項１６６に記載のいずれかの
滑動自在な把持部を備えた携帯情報端末バンパーにおいて
滑動部を摺動自在としたことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０１７０】
請求項１６８に記載の発明は
滑動自在な把持具の一部に
伸縮自在な軸を設けさらに
縮自在な前記軸を自在に滑動する滑動部を備えた把持部を前記軸に設け、
さらに滑動自在な把持具の一部に装着するための装着部を設けたことを特徴とする滑動自
在な把持具
である
これにより把持部に手の指を通して
把持し手のひらの角度を変えることで把持部が滑動
することで携帯情報端末の画面に指が届く範囲を広く
することができる。
【０１７１】
請求項１６９に記載の発明は
滑動自在な把持具の一部に
軸を設けさらに
前記軸を自在に滑動する滑動部を備えた把持部を前記軸に設け、
さらに滑動自在な把持具の一部に装着するための装着部を設けたことを特徴とする滑動自
在な把持具
である
これにより把持部に手の指を通して
把持し手のひらの角度を変えることで把持部が滑動
することで携帯情報端末の画面に指が届く範囲を広く
することができる。
【０１７２】
請求項１７０に記載の発明は
滑動自在な把持具の一部に
紐状の軸を設けさらに
前記紐状の軸を自在に滑動する滑動部を備えた把持部を前記紐状の軸に設け、
さらに滑動自在な把持具の一部に装着するための装着部を設けたことを特徴とする滑動自
在な把持具
である
これにより把持部に手の指を通して
把持し手のひらの角度を変えることで把持部が滑動
することで携帯情報端末の画面に指が届く範囲を広く
することができる。
【０１７３】
請求項１７１に記載の発明は
請求項１６８から請求項１７０に記載のいずれかの
滑動自在な把持具において
前記把持部を前記軸に対し回動自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１７４】
請求項１７２に記載の発明は
請求項１６８から請求項１７１に記載のいずれかの
滑動自在な把持具において
把持部の角度を変更自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１７５】
請求項１７３に記載の発明は
請求項１６８から請求項１７２に記載のいずれかの
滑動自在な把持具において
滑動範囲を変更自在にするストッパーを前記携帯情報端末ケースの軸の一部に
さらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０１７６】
請求項１７４に記載の発明は
滑動自在な把持具の一部に案内窓を備えた箱を設け
前記箱の案内窓に沿って前記箱の中を自在に滑動する滑動部
を備えた把持部を前記ケースの一部にさらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１７７】
請求項１７５に記載の発明は
滑動自在な把持具の一部に案内窓を備えた箱を設け
さらに前記箱の中を自在に滑動する滑動部を設け
前記滑動部と連結して前記箱に備えた案内窓を滑動する
把持部さらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１７８】
請求項１７６に記載の発明は
請求項１７４から請求項１７５に記載のいずれかの
滑動自在な把持具において
滑動部を箱の中で回動自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１７９】
請求項１７７に記載の発明は
請求項１７４から請求項１７６に記載のいずれかの
滑動自在な把持具において
把持部の角度を変更自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１８０】
請求項１７８に記載の発明は
請求項１７４から請求項１７７に記載のいずれかの
滑動自在な把持具において
滑動範囲を変更自在にするストッパーを前記滑動自在な把持具の箱の一部に
さらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０１８１】
請求項１７９に記載の発明は
請求項１７４から請求項１７８に記載のいずれかの
滑動自在な把持具において
箱の形状を問わないことを特徴とする
滑動自在な把持具
である
これにより把持部に手の指を通して
把持し手のひらの角度を変えることで把持部が滑動
することで携帯情報端末の画面に指が届く範囲を広く
することができる。
【０１８２】
請求項１８０に記載の発明は
請求項１７４から請求項１７９に記載のいずれかの
滑動自在な把持具において
滑動自在な把持具を着脱自在にする吸盤を設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０１８３】
請求項１８１に記載の発明は
請求項１７４から請求項１８０に記載のいずれかの
滑動自在な把持具において
滑動自在な把持具を磁力により着脱自在にする吸着部と前記吸着部と吸着する吸着板をさ
らに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１８４】
請求項１８２に記載の発明は
請求項１７４から請求項１８１に記載のいずれかの
滑動自在な把持具において
滑動自在な把持具の一部に着脱自在にする面ファスナーと前記面ファスナーと結合する面
ファスナーをさらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１８５】
請求項１８３に記載の発明は
請求項１７４から請求項１８２に記載のいずれかの
滑動自在な把持具において
滑動自在な把持具を装着する吸着面を設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０１８６】
請求項１８４に記載の発明は
請求項１７４から請求項１８３に記載のいずれかの
滑動自在な把持具において
滑動自在な把持具を装着する接着フィルム面を設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０１８７】
請求項１８５に記載の発明は
滑動自在な把持具の一部に前記滑動自在な把持具との間に隙間を開けて略U字状の枠を設
け
前記略U字状の枠の内側の幅より大きく
前記略U字状の枠の内側の間を自在に滑動する滑動部をさらに設け
前記滑動部に把持部をさらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１８８】
請求項１８６に記載の発明は
滑動自在な把持具の一部に前記滑動自在な把持具との間に隙間を開けて略U字状の枠を設
け
前記略U字状の枠の内側の幅より大きく
前記略U字状の枠の内側の間を自在に滑動する滑動部をさらに設け
前記滑動部に把持部を連結してさらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１８９】
請求項１８７に記載の発明は
請求項１８５から請求項１８６に記載のいずれかの
滑動自在な把持具において
滑動部を滑動自在に支える
枠の形状に制限を設けないことを特徴とする
滑動自在な把持具
である
これにより把持部に手の指を通して
把持し手のひらの角度を変えることで把持部が滑動
することで携帯情報端末の画面に指が届く範囲を広く
することができる。
【０１９０】
請求項１８８に記載の発明は
滑動自在な把持具の一部に前記滑動自在な把持具との間に隙間を開けて枠と枠を設け
前記枠と枠の間の幅より大きく
前記枠と枠の間を自在に滑動する滑動部をさらに設け
前記滑動部に把持部をさらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１９１】
請求項１８９に記載の発明は
滑動自在な把持具の一部に枠と枠の間に隙間を開けた略U字状の二重枠を設け
前記略U字状の二重枠の内側の幅より大きく
前記略U字状の二重枠の内側の間と前記隙間を自在に滑動する滑動部をさらに設け
前記滑動部に把持部をさらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１９２】
請求項１９０に記載の発明は
請求項１８９に記載の
滑動自在な把持具において
滑動部を滑動自在に支える
二重枠の形状に制限を設けないことを特徴とする
滑動自在な把持具
である
これにより把持部に手の指を通して
把持し手のひらの角度を変えることで把持部が滑動
することで携帯情報端末の画面に指が届く範囲を広く
することができる。
【０１９３】
請求項１９１に記載の発明は
滑動自在な把持具の一部に
隙間を持たせて二重に設けた枠を２セット設け
さらに前記２つの二重枠に一定の間を開けて設け
前記二重枠の間の幅より大きく
前記二重枠間と前記二重枠の隙間を自在に滑動する滑動部をさらに設け
前記滑動部に把持部をさらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１９４】
請求項１９２に記載の発明は
請求項１８９から請求項１９１に記載のいずれかの
滑動自在な把持具において
二重枠を複数層の枠とすることを特徴とする
滑動自在な把持具
である
これにより把持部に手の指を通して
把持し手のひらの角度を変えることで把持部が滑動
することで携帯情報端末の画面に指が届く範囲を広く
することができる。
【０１９５】
請求項１９３に記載の発明は
請求項１８５から請求項１９２に記載のいずれかの
滑動自在な把持具において
滑動部を回動自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１９６】
請求項１９４に記載の発明は
請求項１８５から請求項１９３に記載のいずれかの
滑動自在な把持具において
把持部の角度を変更自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０１９７】
請求項１９５に記載の発明は
請求項１８５から請求項１９４に記載のいずれかの
滑動自在な把持具において
滑動範囲を変更自在にするストッパーを前記携帯情報端末ケースの一部に
さらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０１９８】
請求項１９６に記載の発明は
請求項１８５から請求項１９５に記載のいずれかの
滑動自在な把持具において
枠の数を複数個とすることを特徴とする
滑動自在な把持具
である
これにより把持部に手の指を通して
把持し手のひらの角度を変えることで把持部が滑動
することで携帯情報端末の画面に指が届く範囲を広く
することができる。
【０１９９】
請求項１９７に記載の発明は
請求項１８５から請求項１９６に記載のいずれかの
滑動自在な把持具において
滑動部にネジ溝をさらに設け、前記ネジ溝と係合する
ネジ部を把持部の一部にさらに備え
前記把持部に備えたネジ部の一端に滑り止め部をさらに設け
たとすることを特徴とする
滑動自在な把持具
である
これにより把持部に手の指を通して
把持し手のひらの角度を変えることで把持部が滑動
することで携帯情報端末の画面に指が届く範囲を広く
することができる。
【０２００】
請求項１９８に記載の発明は
請求項１８５から請求項１９７に記載のいずれかの
滑動自在な把持具において
滑動部に凹凸部をさらに設け、前記凹凸部と係合する
凹凸部を把持部の一部にさらに備え
前記把持部に備えた凹凸部の一端に滑り止め部をさらに設け
たとすることを特徴とする
滑動自在な把持具
である
これにより把持部に手の指を通して
把持し手のひらの角度を変えることで把持部が滑動
することで携帯情報端末の画面に指が届く範囲を広く
することができる。
【０２０１】
請求項１９９に記載の発明は
請求項１８５から請求項１９８に記載のいずれかの
滑動自在な把持具において
前記を枠を前記ケースから着脱自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２０２】
請求項２００に記載の発明は
請求項１８５から請求項１９９に記載のいずれかの
滑動自在な把持具において
前記枠を前記ケースと開け閉め自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２０３】
請求項２０１に記載の発明は
請求項１８５から請求項２００に記載のいずれかの
滑動自在な把持具において
滑動自在な把持具を着脱自在にする吸盤を設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０２０４】
請求項２０２に記載の発明は
請求項１８５から請求項２００に記載のいずれかの
滑動自在な把持具において
滑動自在な把持具を磁力により着脱自在にする吸着部と前記吸着部と吸着する吸着板をさ
らに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２０５】
請求項２０３に記載の発明は
請求項１８５から請求項２００に記載のいずれかの
滑動自在な把持具において
滑動自在な把持具の一部に着脱自在にする面ファスナーと前記面ファスナーと結合する面
ファスナーをさらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２０６】
請求項２０４に記載の発明は
請求項１８５から請求項２００に記載のいずれかの
滑動自在な把持具において
滑動自在な把持具を装着する吸着面を設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０２０７】
請求項２０５に記載の発明は
請求項１８５から請求項２００に記載のいずれかの
滑動自在な把持具において
滑動自在な把持具を装着する接着フィルム面を設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０２０８】
請求項２０６に記載の発明は
滑動自在な把持具の一部に案内窓を備えた回動自在な箱を設け
前記回動自在な箱の案内窓に沿って前記回動自在な箱の中を自在に滑動する滑動部
を備えた把持部を前記回動自在な箱の一部にさらに設け
滑動自在な把持具を着脱自在にする吸盤を設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０２０９】
請求項２０７に記載の発明は
滑動自在な把持具の一部に案内窓を備えた回動自在な箱を設け
さらに前記回動自在な箱の中を自在に滑動する滑動部を設け
前記滑動部と連結して前記回動自在な箱に備えた案内窓を滑動する
把持部さらに設けさらに
滑動自在な把持具を着脱自在にする吸盤を設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０２１０】
請求項２０８に記載の発明は
請求項２０６から請求項２０７に記載のいずれかの
滑動自在な把持具において
滑動部を回動自在な箱の中で回動自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２１１】
請求項２０９に記載の発明は
請求項２０６から請求項２０８に記載のいずれかの
滑動自在な把持具において
把持部の角度を変更自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２１２】
請求項２１０に記載の発明は
請求項２０６から請求項２０９に記載のいずれかの
滑動自在な把持具において
滑動範囲を変更自在にするストッパーを前記滑動自在な把持具の回動自在な箱の一部に
さらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０２１３】
請求項２１１に記載の発明は
請求項２０６から請求項２１０に記載のいずれかの
滑動自在な把持具において
回動自在な箱の形状を問わないことを特徴とする
滑動自在な把持具
である
これにより把持部に手の指を通して
把持し手のひらの角度を変えることで把持部が滑動
することで携帯情報端末の画面に指が届く範囲を広く
することができる。
【０２１４】
請求項２１２に記載の発明は
滑動自在な把持具の一部に案内窓を備えた回動自在な箱を設け
前記回動自在な箱の案内窓に沿って前記回動自在な箱の中を自在に滑動する滑動部
を備えた把持部を前記回動自在な箱の一部にさらに設け
滑動自在な把持具を磁力により着脱自在にする吸着部と前記吸着部と吸着する吸着板をさ
らに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２１５】
請求項２１３に記載の発明は
滑動自在な把持具の一部に案内窓を備えた回動自在な箱を設け
さらに前記回動自在な箱の中を自在に滑動する滑動部を設け
前記滑動部と連結して前記回動自在な箱に備えた案内窓を滑動する
把持部さらに設けさらに
滑動自在な把持具を磁力により着脱自在にする吸着部と前記吸着部と吸着する吸着板をさ
らに設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０２１６】
請求項２１４に記載の発明は
請求項２１２から請求項２１３に記載のいずれかの
滑動自在な把持具において
滑動部を回動自在な箱の中で回動自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２１７】
請求項２１５に記載の発明は
請求項２１２から請求項２１４に記載のいずれかの
滑動自在な把持具において
把持部の角度を変更自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２１８】
請求項２１６に記載の発明は
請求項２１２から請求項２１５に記載のいずれかの
滑動自在な把持具において
滑動範囲を変更自在にするストッパーを前記滑動自在な把持具の回動自在な箱の一部に
さらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０２１９】
請求項２１７に記載の発明は
請求項２１２から請求項２１６に記載のいずれかの
滑動自在な把持具において
回動自在な箱の形状を問わないことを特徴とする
滑動自在な把持具
である
これにより把持部に手の指を通して
把持し手のひらの角度を変えることで把持部が滑動
することで携帯情報端末の画面に指が届く範囲を広く
することができる。
【０２２０】
請求項２１８に記載の発明は
滑動自在な把持具の一部に案内窓を備えた回動自在な箱を設け
前記回動自在な箱の案内窓に沿って前記回動自在な箱の中を自在に滑動する滑動部
を備えた把持部を前記回動自在な箱の一部にさらに設け
滑動自在な把持具を装着する吸着面を設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０２２１】
請求項２１９に記載の発明は
滑動自在な把持具の一部に案内窓を備えた回動自在な箱を設け
さらに前記回動自在な箱の中を自在に滑動する滑動部を設け
前記滑動部と連結して前記回動自在な箱に備えた案内窓を滑動する
把持部さらに設けさらに
滑動自在な把持具を装着する吸着面を設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０２２２】
請求項２２０に記載の発明は
請求項２１８から請求項２１９に記載のいずれかの
滑動自在な把持具において
滑動部を回動自在な箱の中で回動自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２２３】
請求項２２１に記載の発明は
請求項２１８から請求項２２０に記載のいずれかの
滑動自在な把持具において
把持部の角度を変更自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２２４】
請求項２２２に記載の発明は
請求項２１８から請求項２２１に記載のいずれかの
滑動自在な把持具において
滑動範囲を変更自在にするストッパーを前記滑動自在な把持具の回動自在な箱の一部に
さらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
【０２２５】
請求項２２３に記載の発明は
請求項２１８から請求項２２２に記載のいずれかの
滑動自在な把持具において
回動自在な箱の形状を問わないことを特徴とする
滑動自在な把持具
である
これにより把持部に手の指を通して
把持し手のひらの角度を変えることで把持部が滑動
することで携帯情報端末の画面に指が届く範囲を広く
することができる。
【０２２６】
請求項２２４に記載の発明は
滑動自在な把持具の一部に案内窓を備えた回動自在な箱を設け
前記回動自在な箱の案内窓に沿って前記回動自在な箱の中を自在に滑動する滑動部
を備えた把持部を前記回動自在な箱の一部にさらに設け
滑動自在な把持具の一部に着脱自在にする面ファスナーと前記面ファスナーと結合する面
ファスナーをさらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２２７】
請求項２２５に記載の発明は
滑動自在な把持具の一部に案内窓を備えた回動自在な箱を設け
さらに前記回動自在な箱の中を自在に滑動する滑動部を設け
前記滑動部と連結して前記回動自在な箱に備えた案内窓を滑動する
把持部さらに設けさらに
滑動自在な把持具の一部に着脱自在にする面ファスナーと前記面ファスナーと結合する面
ファスナーをさらに設け
たことを特徴とする
滑動自在な把持具
である
これにより把持部に手の指を通して
把持し手のひらの角度を変えることで把持部が滑動
することで携帯情報端末の画面に指が届く範囲を広く
することができる。
【０２２８】
請求項２２６に記載の発明は
請求項２２４から請求項２２５に記載のいずれかの
滑動自在な把持具において
滑動部を回動自在な箱の中で回動自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２２９】
請求項２２７に記載の発明は
請求項２２４から請求項２２６に記載のいずれかの
滑動自在な把持具において
把持部の角度を変更自在に設けたことを特徴とする
滑動自在な把持具
である
これにより把持部に手の指を通して
把持し手のひらの角度を変えることで把持部が滑動
することで携帯情報端末の画面に指が届く範囲を広く
することができる。
【０２３０】
請求項２２８に記載の発明は
請求項２２４から請求項２２７に記載のいずれかの
滑動自在な把持具において
滑動範囲を変更自在にするストッパーを前記滑動自在な把持具の回動自在な箱の一部に
さらに設けたことを特徴とする
滑動自在な把持具
である
これにより把持部に手の指を通して
把持し手のひらの角度を変えることで把持部が滑動
することで携帯情報端末の画面に指が届く範囲を広く
することができる。
また
ストッパーを有効にすることにより滑動部の滑動をとめて把持部の位置を固定して
使用することができる
また
ストッパーを有効にすることにより滑動部の滑動をとめて把持部の位置を固定して
使用することができる
【０２３１】
請求項２２９に記載の発明は
請求項２２４から請求項２２８に記載のいずれかの
滑動自在な把持具において
回動自在な箱の形状を問わないことを特徴とする
滑動自在な把持具
である
これにより把持部に手の指を通して
把持し手のひらの角度を変えることで把持部が滑動
することで携帯情報端末の画面に指が届く範囲を広く
することができる。
【０２３２】
請求項２３０に記載の発明は
請求項２２４から請求項２２９に記載のいずれかの
滑動自在な把持部を備えた携帯情報端末の把持具において
滑動部を摺動自在としたことを特徴とする
滑動自在な把持部を備えた携帯情報端末の把持具
である
これにより把持部に手の指を通して
把持し手のひらの角度を変えることで把持部が滑動
することで携帯情報端末の画面に指が届く範囲を広く
することができる。
【０２３３】
請求項２３１に記載の発明は
請求項１から請求項７５に記載のいずれかの滑動自在な把持部を備えた携帯情報端末のケ
ースにおいて
ケースとはカバーも含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２３４】
請求項２３２に記載の発明は
請求項１から請求項７５に記載のいずれかの滑動自在な把持部を備えた携帯情報端末のケ
ースにおいて
ケースとは保護具も含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２３５】
請求項２３３に記載の発明は
請求項１から請求項７５に記載のいずれかの滑動自在な把持部を備えた携帯情報端末のケ
ースにおいて
ケースとは手帳型ケースも含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２３６】
請求項２３４に記載の発明は
請求項１から請求項７５に記載のいずれかの滑動自在な把持部を備えた携帯情報端末のケ
ースにおいて
携帯情報端末とは携帯音楽プレーヤーも含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２３７】
請求項２３５に記載の発明は
請求項１から請求項７５に記載のいずれかの滑動自在な把持部を備えた携帯情報端末のケ
ースにおいて
携帯情報端末とはスマートフォンも含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２３８】
請求項２３６に記載の発明は
請求項１から請求項７５に記載のいずれかの滑動自在な把持部を備えた携帯情報端末のケ
ースにおいて
携帯情報端末とはタブレット端末も含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２３９】
請求項２３７に記載の発明は
請求項１から請求項７５に記載のいずれかの滑動自在な把持部を備えた携帯情報端末のケ
ースにおいて
携帯情報端末とはゲーム機も含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２４０】
請求項２３８に記載の発明は
請求項１から請求項７５に記載のいずれかの滑動自在な把持部を備えた携帯情報端末のケ
ースにおいて
携帯情報端末とはゲーム機のコントローラーも含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２４１】
請求項２３９に記載の発明は
請求項１から請求項７５に記載のいずれかの滑動自在な把持部を備えた携帯情報端末のケ
ースにおいて
携帯情報端末とはVR端末を含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２４２】
請求項２４０に記載の発明は
請求項１から請求項７５に記載のいずれかの滑動自在な把持部を備えた携帯情報端末のケ
ースにおいて
携帯情報端末とはVR端末のコントローラーを含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２４３】
請求項２４１に記載の発明は
請求項１から請求項７５に記載のいずれかの滑動自在な把持部を備えた携帯情報端末のケ
ースにおいて
携帯情報端末とは入力装置を持たない携帯情報端末も含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２４４】
請求項２４２に記載の発明は
請求項１から請求項７５に記載のいずれかの滑動自在な把持部を備えた携帯情報端末のバ
ンパーにおいて
携帯情報端末とはVR端末を含むことを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２４５】
請求項２４３に記載の発明は
請求項１から７５に記載のいずれかの滑動自在な把持部を備えた携帯情報端末のケースに
おいて非金属製の素材で構成されていることを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
【０２４６】
請求項２４４に記載の発明は
請求項１から請求項７５に記載のいずれかの滑動自在な把持部を備えた携帯情報端末のケ
ースにおいて滑動自在な把持部を着脱自在に設けていることを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
また把持部を着脱自在に設けたことでワイヤレス充電時に把持部を外することで
ワイヤレス充電をさまたげることがなく充電できる。
【０２４７】
請求項２４５に記載の発明は
請求項１から請求項７５に記載のいずれかの滑動自在な把持部を備えた携帯情報端末のケ
ースにおいて滑動自在な把持部を開閉式に設けていることを特徴とする
滑動自在な把持部を備えた携帯情報端末ケース
である
これにより把持部に手の指を通して
把持し手のひらの角度を変えることで把持部が滑動
することで携帯情報端末の画面に指が届く範囲を広く
することができる。
また把持部を開閉式に設けたことでワイヤレス充電時に把持部を開閉して移動することで
ワイヤレス充電をさまたげることがなく充電できる。
【０２４８】
請求項２４６に記載の発明は
請求項７６から請求項１６７に記載のいずれかの滑動自在な把持部を備えた携帯情報端末
のバンパーにおいて
バンパーとは保護具も含むことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０２４９】
請求項２４７に記載の発明は
請求項７６から請求項１６７に記載のいずれかの滑動自在な把持部を備えた携帯情報端末
のバンパーにおいて
バンパーとは手帳型バンパーも含むことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０２５０】
請求項２４８に記載の発明は
請求項７６から請求項１６７に記載のいずれかの滑動自在な把持部を備えた携帯情報端末
のバンパーにおいて
携帯情報端末とは携帯音楽プレーヤーも含むことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０２５１】
請求項２４９に記載の発明は
請求項７６から請求項１６７に記載のいずれかの滑動自在な把持部を備えた携帯情報端末
のバンパーにおいて
携帯情報端末とはスマートフォンも含むことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０２５２】
請求項２５０に記載の発明は
請求項７６から請求項１６７に記載のいずれかの滑動自在な把持部を備えた携帯情報端末
のバンパーにおいて
携帯情報端末とはタブレット端末も含むことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０２５３】
請求項２５１に記載の発明は
請求項７６から請求項１６７に記載のいずれかの滑動自在な把持部を備えた携帯情報端末
のバンパーにおいて
携帯情報端末とはゲーム機も含むことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０２５４】
請求項２５２に記載の発明は
請求項７６から請求項１６７に記載のいずれかの滑動自在な把持部を備えた携帯情報端末
のバンパーにおいて
携帯情報端末とは入力装置を持たない携帯情報端末も含むことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０２５５】
請求項２５３に記載の発明は
請求項７６から請求項１６７に記載のいずれかの滑動自在な把持部を備えた携帯情報端末
のバンパーにおいて非金属製の素材で構成されていることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また非金属製の素材で設けたことでワイヤレス充電時に素材によりワイヤレス充電をさま
たげることがなく充電できる。
【０２５６】
請求項２５４に記載の発明は
請求項７６から請求項１６７に記載のいずれかの滑動自在な把持部を備えた携帯情報端末
のバンパーにおいて滑動自在な把持部を開閉式に設けていることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また把持部を開閉式に設けたことでワイヤレス充電時に把持部を開閉して移動することで
ワイヤレス充電をさまたげることがなく充電できる。
【０２５７】
請求項２５５に記載の発明は
請求項７６から請求項１６７に記載のいずれかの滑動自在な把持部を備えた携帯情報端末
のバンパーにおいて滑動自在な把持部を着脱自在に設けていることを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
また把持部を着脱式に設けたことでワイヤレス充電時に把持部を外することで
ワイヤレス充電をさまたげることがなく充電できる。
【０２５８】
請求項２５６に記載の発明は
請求項７６から請求項１６７に記載のいずれかの滑動自在な把持部を備えた携帯情報端末
のバンパーにおいて
携帯情報端末とはゲーム機のコントローラーも含むことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０２５９】
請求項２５７に記載の発明は
請求項７６から請求項１６７に記載のいずれかの滑動自在な把持部を備えた携帯情報端末
のバンパーにおいて
携帯情報端末とはVR端末のコントローラーを含むことを特徴とする
滑動自在な把持部を備えた携帯情報端末バンパー
である
これにより把持部に手の指を通して
把持し手のひらの角度を変えることで把持部が滑動
することで携帯情報端末の画面に指が届く範囲を広く
することができる。
【０２６０】
請求項２５８に記載の発明は
請求項１６８から請求項２３０に記載のいずれかの滑動自在な把持具において把持部とは
リング状の把持部を含むことを特徴とする
滑動自在な把持具
である
これにより把持部に手の指を通して
把持し手のひらの角度を変えることで把持部が滑動
することで携帯情報端末の画面に指が届く範囲を広く
することができる。
【０２６１】
請求項２５９に記載の発明は
請求項１６８から請求項２３０に記載のいずれかの滑動自在な把持具において把持部とは
波状の把持部を含むことを特徴とする
滑動自在な把持具
である
これにより把持部に手の指を通して
把持し手のひらの角度を変えることで把持部が滑動
することで携帯情報端末の画面に指が届く範囲を広く
することができる。
【０２６２】
請求項２６０に記載の発明は
請求項１６８から請求項２３０に記載のいずれかの滑動自在な把持具において把持部とは
布素材の把持部を含むことを特徴とする
滑動自在な把持具
である
これにより把持部に手の指を通して
把持し手のひらの角度を変えることで把持部が滑動
することで携帯情報端末の画面に指が届く範囲を広く
することができる。
【０２６３】
請求項２６１に記載の発明は
請求項１６８から請求項２３０に記載のいずれかの滑動自在な把持具において把持部とは
樹脂素材の把持部を含むことを特徴とする
滑動自在な把持具
である
これにより把持部に手の指を通して
把持し手のひらの角度を変えることで把持部が滑動
することで携帯情報端末の画面に指が届く範囲を広く
することができる。
【０２６４】
請求項２６２に記載の発明は
請求項１６８から請求項２３０に記載のいずれかの滑動自在な把持具において把持部とは
ゴム素材の把持部を含むことを特徴とする
滑動自在な把持具
である
これにより把持部に手の指を通して
把持し手のひらの角度を変えることで把持部が滑動
することで携帯情報端末の画面に指が届く範囲を広く
することができる。
【０２６５】
請求項２６３に記載の発明は
請求項１６８から請求項２３０に記載のいずれかの滑動自在な把持具において非金属製の
素材で構成されていることを特徴とする
滑動自在な把持具
である
これにより把持部に手の指を通して
把持し手のひらの角度を変えることで把持部が滑動
することで携帯情報端末の画面に指が届く範囲を広く
することができる。
また把持具を非金属製の素材で設けたことでワイヤレス充電時に素材によりワイヤレス充
電をさまたげることがなく充電できる。
【０２６６】
請求項２６４に記載の発明は
請求項１６８から請求項２３０に記載のいずれかの滑動自在な把持具において滑動自在な
把持部具を装着した携帯情報端末または携帯情報端末ケースまたは携帯情報端末バンパー
から着脱自在に設けていることを特徴とする
滑動自在な把持具
である
これにより把持部に手の指を通して
把持し手のひらの角度を変えることで把持部が滑動
することで携帯情報端末の画面に指が届く範囲を広く
することができる。
【０２６７】
請求項２６５に記載の発明は
携帯情報端末の一部に滑動自在な
把持部を設けたことを特徴とする
滑動自在な把持部を備えた携帯情報端末
である
これにより把持部に手の指を通して
把持し手のひらの角度を変えることで把持部が滑動
することで携帯情報端末の画面に指が届く範囲を広く
することができる。
【０２６８】
請求項２６６に記載の発明は
請求項２６５に記載の滑動自在な把持部を備えた携帯情報端末において滑動自在な把持部
を非金属製の素材で構成されていることを特徴とする
滑動自在な把持部を備えた携帯情報端末
である
これにより把持部に手の指を通して
把持し手のひらの角度を変えることで把持部が滑動
することで携帯情報端末の画面に指が届く範囲を広く
することができる。
また把持部を非金属製の素材で設けたことでワイヤレス充電時に素材によりワイヤレス充
電をさまたげることがなく充電できる。
【０２６９】
請求項２６７に記載の発明は
請求項２６５から請求項２６６に記載のいずれかの滑動自在な把持部を備えた携帯情報端
末において滑動自在な把持部を開閉式に設けていることを特徴とする
滑動自在な把持部を備えた携帯情報端末
である
これにより把持部に手の指を通して
把持し手のひらの角度を変えることで把持部が滑動
することで携帯情報端末の画面に指が届く範囲を広く
することができる。
また把持部を開閉式に設けたことでワイヤレス充電時に把持部を開閉して移動することで
ワイヤレス充電をさまたげることがなく充電できる。
【０２７０】
請求項２６８に記載の発明は
請求項２６５から請求項２６７に記載のいずれかの滑動自在な把持部を備えた携帯情報端
末において滑動自在な把持部を着脱自在に設けていることを特徴とする
滑動自在な把持部を備えた携帯情報端末
である
これにより把持部に手の指を通して
把持し手のひらの角度を変えることで把持部が滑動
することで携帯情報端末の画面に指が届く範囲を広く
することができる。
【０２７１】
請求項２６９に記載の発明は
請求項２６５から請求項２６８に記載のいずれかの滑動自在な把持部具を備えた携帯情報
端末において
携帯情報端末とはスマートフォン端末を含むことを特徴とする
滑動自在な把持部を備えた携帯情報端末
である
これにより把持部に手の指を通して
把持し手のひらの角度を変えることで把持部が滑動
することで携帯情報端末の画面に指が届く範囲を広く
することができる。
【０２７２】
請求項２７０に記載の発明は
請求項２６５から請求項２６８に記載のいずれかの滑動自在な把持部具を備えた携帯情報
端末において
携帯情報端末とはタブレット端末を含むことを特徴とする
滑動自在な把持部を備えた携帯情報端末
である
これにより把持部に手の指を通して
把持し手のひらの角度を変えることで把持部が滑動
することで携帯情報端末の画面に指が届く範囲を広く
することができる。
【０２７３】
請求項２７１に記載の発明は
請求項２６５から請求項２６８に記載のいずれかの滑動自在な把持部具を備えた携帯情報
端末において
携帯情報端末とはゲーム機を含むことを特徴とする
滑動自在な把持部を備えた携帯情報端末
である
これにより把持部に手の指を通して
把持し手のひらの角度を変えることで把持部が滑動
することで携帯情報端末の画面に指が届く範囲を広く
することができる。
【０２７４】
請求項２７２に記載の発明は
請求項２６５から請求項２６８に記載のいずれかの滑動自在な把持部具を備えた携帯情報
端末において
携帯情報端末とはゲーム機のコントローラーを含むことを特徴とする
滑動自在な把持部を備えた携帯情報端末
である
これにより把持部に手の指を通して
把持し手のひらの角度を変えることで把持部が滑動
することで携帯情報端末の画面に指が届く範囲を広く
することができる。
【０２７５】
請求項２７３に記載の発明は
請求項２６５から請求項２６８に記載のいずれかの滑動自在な把持部具を備えた携帯情報
端末において
携帯情報端末とは携帯電話を含むことを特徴とする
滑動自在な把持部を備えた携帯情報端末
である
これにより把持部に手の指を通して
把持し手のひらの角度を変えることで把持部が滑動
することで携帯情報端末の画面に指が届く範囲を広く
することができる。
【０２７６】
請求項２７４に記載の発明は
請求項２６５から請求項２６８に記載のいずれかの滑動自在な把持部具を備えた携帯情報
端末において
携帯情報端末とは携帯音楽プレーヤーを含むことを特徴とする
滑動自在な把持部を備えた携帯情報端末
である
これにより把持部に手の指を通して
把持し手のひらの角度を変えることで把持部が滑動
することで携帯情報端末の画面に指が届く範囲を広く
することができる。
【０２７７】
請求項２７５に記載の発明は
請求項２６５から請求項２６８に記載のいずれかの滑動自在な把持部具を備えた携帯情報
端末において
携帯情報端末とはウェアラブル端末を含むことを特徴とする
滑動自在な把持部を備えた携帯情報端末
である
これにより把持部に手の指を通して
把持し手のひらの角度を変えることで把持部が滑動
することで携帯情報端末の画面に指が届く範囲を広く
することができる。
【発明の効果】
【０２７８】
本発明により、把持部に指を通した手で片手操作をする場合に、携帯情報端末を操作する
指の範囲が狭くなってしまうという不都合は起きず、滑動自在な把持部により把持したま
ま指の操作範囲を広げることができる。
【発明を実施するための形態】
【０２７９】
以下、本発明の実施の形態を説明する
[実施形態１］
本発明の滑動自在な把持部を備えた携帯情報端末ケース（A１１）の構成は
携帯情報端末ケース（A12）の一部に軸棒（A28）を設け
軸棒（A28）に滑動自在に連結する滑動部（A18）
を滑動部（A18）に備えた穴（A20）に軸棒（A28）を滑動自
在に挿通して設け、さらに
滑動部（A18）と連結する接続部（A22）を
滑動部（A18）に備えた回動自在な連結部（A1
9）を接続部（A22）に備えた連結部（A23）に
回動自在に設け
さらに接続部（A22）と連結する把持部（A13）を
接続部（A22）に備えた、連結穴（A21）と把持部（A13）に備えた連結穴（A15）と連結穴
（A１４）とを
軸（A16）により連結して回動自在に軸着して設ける
さらに脱着自在なストッパー（A32）を軸棒（A28）に設ける
本発明の滑動自在な把持部を備えた携帯情報端末ケースを使用する場合は
携帯情報端末ケース（A11）に携帯情報端末（A３１）を装着し
携帯情報端末ケース（A11）に設けた把持部（A1
3）に手の指を通して把持し
手のひらの角度を変えることで把持部（A13）が滑動
することで携帯情報端末（A３１）の画面に指が届く範囲が広くなる
また脱着自在なストッパー（A32）を軸棒（A28）に装着し、滑動部（A18）の
滑動範囲を制限することで、使用者の手の都合に合わせた
滑動範囲を設定することができる。
【０２８０】
[実施形態２］
本発明の滑動自在な把持部を備えた携帯情報端末ケース（B１１）の構成は
携帯情報端末ケース（B12）の一部に案内溝（B１４）
を設け案内溝（B１４）を滑動自在に移動する車輪（B３０）と把持部（B１６）を備えた
滑動自在な把持部（B１５）を設ける、滑動自在な把持部（B１５）にはさらに
滑動自在な溝（B２５）と滑動自在な溝（B２５）を把持部（B１６）と連結して滑動する
滑動部（B２１）を備える。
本発明の滑動自在な把持部を備えた携帯情報端末ケース（B１１）を使用する場合は
携帯情報端末ケース（B１２）に携帯情報端末（B３３）を装着し
携帯情報端末ケース（B１２）に設けた滑動自在な把持部（B１５）に手の指を通して把持
し手のひらの角度を変えることで上下左右斜めに滑動自在な把持部（B１５）が滑動
することで携帯情報端末（B３３）の画面に指が届く範囲が広くなる
【０２８１】
[実施形態３］
本発明の滑動自在な把持部を備えた携帯情報端末ケース（C１１）の構成は
携帯情報端末ケース（C１９）の一部に案内溝（C２１）
を設け案内溝（C２１）を滑動自在に移動するプレート（C１４）と把持部（C１３）を備
えた滑動自在な把持部（C３０）を設ける、滑動自在な把持部（C３０）にはさらにプレー
ト（C１４）に滑動自在な溝（C１６）と滑動自在な溝（C１６）を把持部（C１３）と連結
して滑動する滑動部（C２８）を備える。
本発明の滑動自在な把持部を備えた携帯情報端末ケース（C１１）を使用する場合は
携帯情報端末ケース（C１９）に携帯情報端末（C２０）を装着し
携帯情報端末ケース（C１９）に設けた滑動自在な把持部（C３０）に手の指を通して把持
し手のひらの角度を変えることで上下左右斜めに滑動自在な把持部（C３０）が滑動
することで携帯情報端末（C２０）の画面に指が届く範囲が広くなる
【０２８２】
[実施形態４］
本発明の滑動自在な把持具（D１１）の構成は
滑動自在な把持具（D１１）の一部に
伸縮自在な軸（D２１）を設けさらに
把持部（D１２）と連結した滑動部（D１７）を滑動部（D１７）に備えた穴（D１８）に伸
縮自在な軸（D２１）を滑動自在に挿通して設け、
さらに滑動自在な把持具（D１１）を装着する装着部（D２３）を設ける
本発明の滑動自在な把持具（D１１）を使用する場合は
コントローラーまたは携帯情報端末または携帯情報端末または
携帯情報端末ケースなどに
滑動自在な把持具（D１１）を装着し滑動自在な把持具（D１１）
に設けた把持部（D１２）に手の指を通して把持し手のひらの角度を
変えることで把持部（D１２）が伸縮自在な軸（D２１）を滑動
することで、コントローラーまたは携帯情報端末または
携帯情報端末または携帯情報端末ケースなどを把持したままでも指が
届く範囲が広くなる
また着脱自在なストッパー（D２８）を伸縮自在な軸（D２１）に装着し、
滑動自在な把持具（D１１）の
滑動範囲を制限することで、使用者の手の都合に合わせた
滑動範囲を設定することができる。
また伸縮自在な軸（D２１）の滑動方向以外にも力を加えて引っ張ることで
上下左右斜めの方向へ摺動自在に保持することができる。
【０２８３】
[実施形態５］
本発明の滑動自在な把持具（E１１）の構成は
滑動自在な把持具（E１１）の一部に
軸棒（E２８）を設けさらに
把持部（E１２）と接続部（E１６）を接続部（E１６）に備えた連結穴（E２６）により回
動自在に連結し
滑動部（E１７）に備えた回動自在な連結部（E１９）と接続部（E１６）に備えた連結部
（E２５）を回動自在に連結し
滑動部（E１７）に備えた穴（E１８）に軸棒（E２８）を滑動自在に挿通して設け、
さらに滑動自在な把持具（E１１）を装着する装着部（E２３）設ける
本発明の滑動自在な把持具（E１１）を使用する場合は
コントローラーまたは携帯情報端末または携帯情報端末または
携帯情報端末ケースなどに
滑動自在な把持具（E１１）を装着し滑動自在な把持具（E１１）
に設けた把持部（E１２）に手の指を通して把持し手のひらの角度を
変えることで把持部（E１２）が軸棒（E２８）を滑動
することで、コントローラーまたは携帯情報端末または
携帯情報端末または携帯情報端末ケースなどを把持したままでも指が
届く範囲が広くなる
また着脱自在なストッパー（E２９）を軸棒（E２８）に装着し、
滑動自在な把持具（E１１）の
滑動範囲を制限することで、使用者の手の都合に合わせた
滑動範囲を設定することができる。
また滑動部（E１７）の回動自在な連結部（E１９）が回動し、さらに接続部（E１６）に
備えた連結穴（E２６）により把持部（E１２）が回動することで手の角度に応じた自由な
角度での把持ができる
【０２８４】
[実施形態６］
本発明の滑動自在な把持具（F１１）の構成は
滑動自在な把持具（F１１）の一部に
遊びをもたせた軸棒（F２９）を設けさらに
把持部（F１２）と接続部（F１６）を接続部（F１６）に備えた連結穴（F２６）により回
動自在に連結し
滑動部（F１７）に備えた回動自在な連結部（F１９）と接続部（F１６）に備えた連結部
（F２５）を回動自在に連結し
滑動部（F１７）に備えた穴（F１８）に遊びをもたせた軸棒（F２９）を滑動自在に挿通
して設け、
さらに滑動自在な把持具（F１１）を装着する装着部（F２３）設ける
本発明の滑動自在な把持具（F１１）を使用する場合は
コントローラーまたは携帯情報端末または携帯情報端末または
携帯情報端末ケースなどに
滑動自在な把持具（F１１）を装着し滑動自在な把持具（F１１）
に設けた把持部（F１２）に手の指を通して把持し手のひらの角度を
変えることで把持部（F１２）が遊びをもたせた軸棒（F２９）を滑動
することで、コントローラーまたは携帯情報端末または
携帯情報端末または携帯情報端末ケースなどを把持したままでも指が
届く範囲が広くなる
また着脱自在なストッパー（F２８）を遊びをもたせた軸棒（F２９）に装着し、
滑動自在な把持具（F１１）の
滑動範囲を制限することで、使用者の手の都合に合わせた
滑動範囲を設定することができる。
また遊びをもたせた軸棒（F２９）により
上下左右斜めの方向へ滑動自在に保持することができる。
また滑動部（F１７）の回動自在な連結部（F１９）が回動し、さらに接続部（F１６）に
備えた連結穴（F２６）により把持部（F１２）が回動することで手の角度に応じた自由な
角度での把持ができる
【０２８５】
[実施形態７］
本発明の滑動自在な把持具（G１１）の構成は
滑動自在な把持具（G１１）の一部に
把持部（G１４）と接続部（G１３）と滑動部（G２０）を設け
滑動部（G２０）に備えた連結穴（G２１）と
把持部（G１４）に備えた連結穴（G２４）と連結穴（G２５）と接続部（G１３）に
備えた連結穴（G２２）を軸（G１８）により回動自在に連結し
連結した滑動部（G２０）を箱（G１６）に滑動自在に収納して
設け、さらに箱（G１６）の一部に滑動部（G２０）と連結した把持部（G１４）が
滑動する窓（G１７）を設ける
さらに滑動自在な把持具（G１１）を装着する装着部（G１５）設ける
本発明の滑動自在な把持具（G１１）を使用する場合は
コントローラーまたは携帯情報端末または携帯情報端末または
携帯情報端末ケースなどに
滑動自在な把持具（G１１）を装着し滑動自在な把持具（G１１）
に設けた把持部（G１４）に手の指を通して把持し手のひらの角度を
変えることで把持部（G１４）が窓（G１７）を滑動
することで、コントローラーまたは携帯情報端末または
携帯情報端末または携帯情報端末ケースなどを把持したままでも指が
届く範囲が広くなる
また着脱自在なストッパー（G２７）窓（G１７）に装着し、
滑動自在な把持具（G１１）の
滑動範囲を制限することで、使用者の手の都合に合わせた
滑動範囲を設定することができる。
また滑動部（G２０）に備えた円形状の係合部（G１９）と
滑動部（G２０）に備えた連結穴（２１）と接続部（G１３）に備えた
連結穴（G２２）により
把持部（G１４）が回動自在になり手の角度に応じた自由な角度での把持ができる
【０２８６】
[実施形態８］
本発明の滑動自在な把持部を備えた携帯情報端末ケース（H１１）の構成は
携帯情報端末ケース（H１２）の一部に
把持部（H１６）と連結した滑動部（H１９）を滑動自在に収納した箱
（H１３）を設ける
本発明の滑動自在な把持部を備えた携帯情報端末ケース（H１１）を使用する場合は
携帯情報端末ケース（H１２）に携帯情報端末（H２６）を装着し
携帯情報端末ケース（H１２）に設けた滑動自在な把持部（H２８）に手の指を通して把持
し手のひらの角度を変えることで滑動自在な把持部（H２８）が
窓（H１４）を滑動
することで携帯情報端末（H２６）の画面に指が届く範囲が広くなる
また脱着自在なストッパー（H２７）を窓（H１４）に装着し、
滑動自在な把持部（H２８）の
滑動範囲を制限することで、使用者の手の都合に合わせた
滑動範囲を設定することができる。
【０２８７】
[実施形態９］
本発明の滑動自在な把持具（I１１）の構成は
滑動自在な把持具（I１１）の一部に
接着部（I１９）を備えた板（I１７）を設け、板（I１７）にU字状の枠（I１４）を
挿着して設け
U字状の枠（I１４）の内側（I２８）の幅（I３０）より大きな滑動部（I１５）
と滑動部（I１８）
をU字状の枠（I１４）の内側（I２８）の位置にU字状の枠（I１４）の表面（I１６）と裏
面（I２９）を挟んで
U字状の枠（I１４）の中から滑動部（I１５）と滑動部（I１８）が外れることがなく
上下左右斜めへ自在に滑動できるように連結して設けさらに
滑動部（I１５）に把持部（I１３）を回動自在に連結して設ける
本発明の滑動自在な把持具（I１１）を使用する場合は
コントローラーまたは携帯情報端末または携帯情報端末または
携帯情報端末ケースなどに
滑動自在な把持具（I１１）を接着部（I１９）により装着し滑動自在な把持具（I１１）
に設けた把持部（I１３）に手の指を通して把持し手のひらの角度を
変えることで把持部（I１３）がU字状の枠（I１４）の内側を滑動
することで、コントローラーまたは携帯情報端末または
携帯情報端末または携帯情報端末ケースなどを把持したままでも指が
届く範囲が広くなる
またU字状の枠（I１４）の内側（I２８）と連結部（I２３）の間には
回動、滑動自在なスペースがあるため
上下左右斜めの方向へ回動、滑動自在に保持することができる。
また滑動部（I１５）に備えた連結部（I１２）の連結穴（I２２）により
把持部（I１３）が回動自在になり手の角度に応じた自由な角度での把持ができる
【０２８８】
[実施形態１０］
本発明の滑動自在な把持部を備えた携帯情報端末ケース（J１１）の構成は
携帯情報端末ケース（J１４）の一部に
U字状の枠（J１５）を挿着して設け
U字状の枠（J１５）の内側（J２９）の幅（J２８）より大きな滑動部（J１６）
と滑動部（J１７）
をU字状の枠（J１５）の内側（J２９）の位置にU字状の枠（J２９）の表面（J２６）と裏
面（J２７）を挟んで
U字状の枠（J１５）の中から滑動部（J１６）と滑動部（J１７）が外れることがなく
上下左右斜めへ自在に滑動できるように連結して設けさらに
滑動部（J１６）に把持部（J１３）を回動自在に連結して設ける
本発明の滑動自在な把持部を備えた携帯情報端末ケース（J１１）を使用する場合は
携帯情報端末ケース（J１４）に携帯情報端末（J１８）を装着し
携帯情報端末ケース（J１４）に設けた滑動自在な把持部（J１３）に手の指を通して把持
し手のひらの角度を変えることで把持部（J１３）がU字状の枠（J１５）の内側を滑動し
把持したままでも指が届く範囲が広くなる
またU字状の枠（J１５）の内側（J２９）と連結部（J２５）の間には
回動、滑動自在なスペースがあるため
上下左右斜めの方向へ回動、滑動自在に保持することができる。
また滑動部（J１６）に備えた連結穴（J２２）により
把持部（J１３）が回動自在になり手の角度に応じた自由な角度での把持ができる
【０２８９】
[実施形態１１］
本発明の滑動自在な把持部を備えた携帯情報端末ケース（K１１）の構成は
携帯情報端末ケース（K１５）の一部に
開口部（K１４）を備えた蓋（K１８）を設け
蓋（K１８）に備えた開口部（K１４）の幅（K２９）より大きな滑動部（K１７）
と滑動部（K１６）
を蓋（K１８）の開口部（K１４）の
の位置に開口部（K１４）の表面（K３１）と裏面（K３０）を挟んで
蓋（K１８）の開口部（K１４）から滑動部（K１７）と
滑動部（K１６）が外れることがなく
上下左右斜めへ自在に滑動できるように連結して設けさらに
滑動部（K１７）に把持部（K１２）を回動自在に連結して設ける
本発明の滑動自在な把持部を備えた携帯情報端末ケース（K１１）を使用する場合は
携帯情報端末ケース（K１５）に携帯情報端末（K２８）を装着し
携帯情報端末ケース（K１５）に設けた滑動自在な把持部（K１２）に手の指を通して把持
し手のひらの角度を変えることで把持部（K１２）が蓋（K１８）の開口部（K１４）を
滑動し把持したままでも指が届く範囲が広くなる
また開口部（K１４）と滑動部（K１６）に備えた連結部（K２５）の間には
回動、滑動自在なスペースがあるため
上下左右斜めの方向へ回動、滑動自在に保持することができる。
また滑動部（K１７）に備えた連結部（K１３）の連結穴（K２７）により
把持部（K１２）が回動自在になり手の角度に応じた自由な角度での把持ができる
【０２９０】
[実施形態１２］
本発明の滑動自在な把持部を備えた携帯情報端末ケース（L１１）の構成は
携帯情報端末ケース（L１２）の一部に軸（L１９）と軸（L１４）を
設け、さらに軸（L１４）と軸（L１９）を滑動自在に移動する
軸（L１６）を備えた滑動部（L１５）を軸（L１９）と軸（L１４）に滑動自在に設ける
さらに滑動部（L１５）に備えた軸（L１６）を滑動
自在に移動する滑動部（L１７）を備えた把持部（L１８）を滑動部（L１５）に設ける
本発明の滑動自在な把持部を備えた携帯情報端末ケース（L１１）を使用する場合は
携帯情報端末ケース（L１２）に携帯情報端末を装着し
携帯情報端末ケース（L１２）に設けた滑動自在な把持部（L１８）に手の指を通して把持
し手のひらの角度を変えることで上下左右斜めに滑動自在な把持部（L１８）が滑動
することで携帯情報端末の画面に指が届く範囲が広くなる
【０２９１】
[実施形態１３］
本発明の滑動自在な把持部を備えた携帯情報端末バンパー（M１１）の構成は
携帯情報端末バンパー（M１２）の一部に案内溝（M１５）を周設し
さらにバンパー（M１２）に収納部（M１６）を設ける
前記バンパー（M１２）の収納部（M１６）に収納自在で
前記バンパー（M１２）の一部としての機能を備え、収納部（M１６）から引き出すことで
把持部(M１４)としての機能と
案内溝（M１５）を滑動自在に移動する滑動部（M１８）を備え
たバンパー（M１３）を設ける
さらに脱着自在なストッパー（M２０）を案内溝（M１５）に設ける
本発明の滑動自在な把持部を備えた携帯情報端末バンパー（M１１）を使用する場合は
携帯情報端末バンパー（M１２）の携帯情報端末の収納スペース（M１７）に携帯情報端末
（M１９）を装着し
携帯情報端末バンパー（M１３）に設けた把持部（M１４）に手の指を通し
手のひらの角度を変えることで把持部（M１４）と連結している滑動部（M１８）が
滑動することで携帯情報端末(M１９)の画面に指が届く範囲が広くなる
またストッパー（M２０）を案内溝（M１５）に装着し、滑動部（M１８）の
滑動範囲を制限することで、使用者の手の都合に合わせた
滑動範囲を設定することができる。
また案内溝（M１５）により滑動部（M１８）を移動することで左右両方の手で滑動自在な
把持ができる
また把持部（M１４）を使用しないときはバンパー（M１３）をバンパー（M１２）の
収納部（M１６）に
装着して収納することができる
【０２９２】
[実施形態１４］
本発明の滑動自在な把持部を備えた携帯情報端末バンパー（N１１）の構成は
携帯情報端末バンパー（N１２）の一部に案内溝（N１３）を周設し
バンパー（N１２）に設けた案内溝（N１３）の一部に収納溝（N１７）を設け
案内溝（N１３）を滑動自在に移動する滑動部（N１６）を備え
た把持部（N１５）を設ける
さらに脱着自在なストッパー（N１９）を案内溝（N１３）の一部に設ける
本発明の滑動自在な把持部を備えた携帯情報端末バンパー（N１１）を使用する場合は
携帯情報端末バンパー（N１２）の携帯情報端末の収納スペース（N１４）
に携帯情報端末を装着し把持部（N１５）に手の指を通し
手のひらの角度を変えることで把持部（N１５）と連結している滑動部（N１６）が滑動
することで携帯情報端末(N１８)の画面に指が届く範囲が広くなる
またストッパー（N１９）を案内溝（N１３）に装着し、滑動部（N１６）の
滑動範囲を制限することで、使用者の手の都合に合わせた
滑動範囲を設定することができる。
また案内溝（N１３）により滑動部（N１６）を移動することで左右両方の手で滑動自在な
把持ができる
また把持部（N１５）を使用しないときは収納溝（N１７）に把持部（N１５）を折りたた
んで収納することができる
【０２９３】
[実施形態１５］
本発明の滑動自在な把持部を備えた携帯情報端末の手帳型ケースの構成は
滑動自在な把持部を備えた側のケース（O１４）と携帯情報端末を保持する側のケース（O
１９）からなる手帳型ケース（O１１）であり
滑動自在な把持部を備えた側のケース（O１４）に回動自在な板（O１２）を設け、さらに
回動自在な板（０１２）に案内溝（O３５）を備えた枠（O４５）
を設け案内溝（O３５）を滑動自在に移動する車輪（O２８）と把持部（０２９）を備えた
滑動自在な把持部（O４７）を設ける、滑動自在な把持部（O４７）には
滑動自在な軸（O２５）と滑動自在な軸（O２５）を滑動する滑動部（O２６）を備える。
さらに滑動自在な把持部を備えた側のケース（O１４）には回動自在な板（O１２）の回動
を半回転で係止する爪 (O２４)を設け、係止した爪（O２４）を磁力により吸着する吸着
部（O２３）を設ける、さらに携帯情報端末を保持する側のケース（O１９）と連結するた
めの折り曲げ自在で脱着自在な装着部（O３６）を設ける。
携帯情報端末を保持する側のケース（O１９）には携帯情報端末（O１８）を保持する保持
部（O１７）を設け、窓（O２２）を設け、滑動自在な把持部を備えた側のケース（O１４
）の脱着自在な装着部（O３６）と連結するための折り曲げ自在で脱着自在な接続部（O１
６）を設け、滑動自在な把持部を備えた側のケース（O１４）と磁力により開け閉めする
ための吸着部（O２１）を備えた紐蓋（O２０）を設け
滑動自在な把持部を備えた側のケース（O１４）の一部に紐蓋（O２０）に備えた吸着部（
O２１）と吸着する
吸着部（O３０）を設ける
本発明の滑動自在な把持部を備えた携帯情報端末ケースを２台の形態情報端末で使用する
場合は携帯情報端末を保持する側のケース（O４８）に携帯情報端末の画面を窓（O２２）
に向けて取り付け携帯情報端末を保持する側のケース（O４９）には携帯情報端末の画面
を窓（O２２）とは反対に取り着ける
操作する携帯情報端末に応じて回動自在な板（O１２）を回動して把持部（O４７）
に手の指を通して把持し手のひらの角度を変えることで
把持部（O４７）と繋がった車輪（O２８）が案内溝（O３５）を滑動するとともに
滑動部（O２６）が滑動すること
で上下左右斜めへの滑動が自在になり
把持したままでも指が届く範囲が広くなる
【０２９４】
[実施形態１６］
本発明の滑動自在な把持部を備えた携帯情報端末バンパー（P１１）の構成は
携帯情報端末バンパー（P１３）の一部に
枠（P２４）と枠（P１４）を設け
枠（P２４）と枠（P１４）の間の幅（P３１）より大きな滑動部（P１８）と
滑動部（P１６）を備える滑動部（P２７）を
枠（P２４）と枠（P１４）の間の位置に枠（P２４）と枠（P１４）の
表面（P３３）と裏面（P１７）とを挟んで
枠（P２４）と枠（P１４）の間から滑動部（P２７）が
外れることがなく上下左右斜めへ自在に滑動できるように設け
さらに滑動部（P２７）にネジ溝（P２５）を備えた連結穴（P２６）を設け
滑動部（P２７）に備えた連結穴（P２６）のネジ溝（P２５）に、連結穴（P３０）とネジ
部（P２０）と滑り止め部（P２１）を備えた接続部（P２９）のネジ部（P２０）を
滑動部（P２７）に備えた連結穴（P２６）のネジ溝に装着して設け
接続部（P２９）に備えた連結穴（P３０）に
把持部（P１９）を軸（P２２）により回動自在に連結して設ける
本発明の滑動自在な把持部を備えた携帯情報端末バンパー（P１１）を使用する場合は
携帯情報端末バンパー（P１３）に携帯情報端末を装着し
携帯情報端末バンパー（P１３）に設けた滑動自在な把持部（P１９）に手の指を通して把
持し手のひらの角度を変えることで
把持部（P１９）が枠（P２４）と枠（P１４）の間（P３１）を滑動
することで、
把持したままでも指が届く範囲が広くなる
また枠（P２４）と枠（P１４）の間の幅（P３１）と滑動部（P２７）の間（P３２）には
回動、滑動自在なスペースがあるため
上下左右斜めの方向へ回動、滑動自在に保持することができる。
また接続部（P２９）に備えた連結穴（P３０）により
把持部（P１９）が回動自在になり手の角度に応じた自由な角度での把持ができる
また滑動部（P２７）を固定しながら把持部（P１９）を回すことで接続部（P２９）に
備えた滑り止め部（P２１）により携帯情報端末を押止することで
把持部（P１９）を好きな位置で固定することができる。
【０２９５】
[実施形態１７］
本発明の滑動自在な把持部を備えた携帯情報端末ケース（Q１１）の構成は
携帯情報端末ケース（Q１３）の一部に
枠（Q２４）と枠（Q１４）を設け
枠（Q２４）と枠（Q１４）の間の幅（Q３０）より大きな滑動部（Q１８）と
滑動部（Q１６）を備える滑動部（Q２６）を
枠（Q１８）と枠（Q１６）の間の位置に枠（Q２４）と枠（Q１４）の
表面（Q３１）と裏面（Q３２）とを挟んで
枠（Q２４）と枠（Q１４）の間から滑動部（Q２６）が
外れることがなく上下左右斜めへ自在に滑動できるように設け
さらに滑動部（Q２６）にネジ溝（Q２３）を備えた連結穴（Q２５）を設け
滑動部（Q２６）に備えた連結穴（Q２５）のネジ溝（Q２３）に、連結穴（Q２９）とネジ
部（Q２０）と滑り止め部（Q２１）を備えた接続部（Q２７）のネジ部（Q２０）を
滑動部（Q２６）に備えた連結穴（Q２５）のネジ溝（Q２３）に装着して設け
接続部（Q２７）に備えた連結穴（Q２９）に
把持部（Q１９）を軸（Q２２）により回動自在に連結して設ける
本発明の滑動自在な把持部を備えた携帯情報端末ケース（Q１１）を使用する場合は
携帯情報端末ケース（Q１３）に携帯情報端末を装着し
携帯情報端末ケース（Q１３）に設けた滑動自在な把持部（Q１９）に手の指を通して把持
し手のひらの角度を変えることで
把持部（Q１９）が枠（Q２４）と枠（Q１４）を滑動
することで、
把持したままでも指が届く範囲が広くなる
また枠（Q２４）と枠（Q１４）の間の幅（Q３０）と滑動部（Q２６）の間（Q１７）には
回動、滑動自在なスペースがあるため
上下左右斜めの方向へ回動、滑動自在に保持することができる。
また接続部（Q２７）に備えた連結穴（Q２９）により
把持部（Q１９）が回動自在になり手の角度に応じた自由な角度での把持ができる
また滑動部（Q２６）を固定しながら把持部（Q１９）を回すことで接続部（Q２７）に
備えた滑り止め部（Q２１）により携帯情報端末ケースを押止することで
把持部（Q１９）を好きな位置で固定することができる。
【０２９６】
[実施形態１８］
本発明の滑動自在な把持部を備えた携帯情報端末バンパー（R１１）の構成は
携帯情報端末バンパー（R１３）の一部に
枠（R２４）と枠（R１４）を設け
枠（R２４）と枠（R１４）の間の幅（R２９）より大きな滑動部（R１８）と
滑動部（R１６）を備える滑動部（R２５）を
枠（R２４）と枠（R１４）の間の位置に枠（R２４）と枠（R１４）の
表面（R３０）と裏面（R３１）とを挟んで
枠（R２４）と枠（R１４）の間から滑動部（R２５）が
外れることがなく上下左右斜めへ自在に滑動できるように設け
さらに滑動部（R２５）に凹凸部（R２３）を備えた連結穴（R２６）を設け
滑動部（R２５）に備えた連結穴（R２６）の凹凸部（R２３）に、と凹凸部（R２３）と係
合する凹凸部（R２０）と滑り止め部（R２１）と連結穴（R２８）を
備えた接続部（R１７）を
滑動部（R２５）に備えた連結穴（R２６）に装着して設け
接続部（R１７）に備えた連結穴（R２８）に
把持部（R１９）を軸（R２２）により回動自在に連結して設ける
本発明の滑動自在な把持部を備えた携帯情報端末バンパー（R１１）を使用する場合は
携帯情報端末バンパー（R１３）に携帯情報端末を装着し
携帯情報端末バンパー（R１３）に設けた滑動自在な把持部（R１９）に手の指を通して把
持し手のひらの角度を変えることで
把持部（R１９）が枠（R２４）と枠（R１４）を滑動
することで、
把持したままでも指が届く範囲が広くなる
また枠（R２４）と枠（R１４）の間の幅（R２９）と滑動部（R２５）の
間（R３２）には
回動、滑動自在なスペースがあるため
上下左右斜めの方向へ回動、滑動自在に保持することができる。
また接続部（R１７）に備えた連結穴（R２７）により
把持部（R１９）が回動自在になり手の角度に応じた自由な角度での把持ができる
また滑動部（R２５）を固定しながら把持部（R２５）を押すことで
接続部（R１７）に
備えた滑り止め部（R２１）により携帯情報端末を押止することで
把持部（R１９）を好きな位置で固定することができる。
また把持部（R１９）を引っ張ることで滑り止め部（R２１）を携帯情報端末から離すこと
ができ
滑動自在な把持部（R１９）として使用できる
【０２９７】
[実施形態１９］
本発明の滑動自在な把持部を備えた携帯情報端末ケース（S１１）の構成は
携帯情報端末ケース（S１３）の一部に
枠（S２４）と枠（S１４）を設け
枠（S２４）と枠（S１４）の間の幅（S２９）より大きな滑動部（S１８）と
滑動部（S１６）を備える滑動部（S２５）を
枠（S２４）と枠（S１４）の間の位置に枠（S２４）と枠（S１４）の
表面（S３０）と裏面（S３１）とを挟んで
枠（S２４）と枠（S１４）の間から滑動部（S２５）が
外れることがなく上下左右斜めへ自在に滑動できるように設け
さらに滑動部（S２５）に凹凸
部（S２３）を備えた連結穴（S２６）を設け
滑動部（S２５）に備えた連結穴（S２６）の凹凸部（S２３）に、と凹凸部（S２３）と係
合する凹凸部（S２０）と滑り止め部（S２１）と連結穴（S２８）を
備えた接続部（S１７）を
滑動部（S２５）に備えた連結穴（S２６）に装着して設け
接続部（S１７）に備えた連結穴（S２８）に
把持部（S１９）を軸（S２２）により回動自在に連結して設ける
本発明の滑動自在な把持部を備えた携帯情報端末ケース（S１１）を使用する場合は
携帯情報端末ケース（S１３）に携帯情報端末（S１５）を装着し
携帯情報端末ケース（S１３）に設けた滑動自在な把持部（S１９）に手の指を通して把持
し手のひらの角度を変えることで
把持部（S１９）が枠（S２４）と枠（S１４）を滑動
することで、
把持したままでも指が届く範囲が広くなる
また枠（S２４）と枠（S１４）の間の幅（S２９）と滑動部（S２５）の
間（S３２）には
回動、滑動自在なスペースがあるため
上下左右斜めの方向へ回動、滑動自在に保持することができる。
また接続部（S１７）に備えた連結穴（S２８）により
把持部（S１９）が回動自在になり手の角度に応じた自由な角度での把持ができる
また滑動部（S２５）を固定しながら把持部（S１９）を押すことで
接続部（S１７）に
備えた滑り止め部（S２１）により携帯情報端末ケース（S１３）を押止することで
把持部（S１９）を好きな位置で固定することができる。
また把持部（S１９）を引っ張ることで滑り止め部（S２１）を携帯情報端末ケース（S１
３）から離すことができ
滑動自在な把持部（S１９）として使用できる
【０２９８】
[実施形態２０］
本発明の滑動自在な把持部を備えた携帯情報端末ケース（T１１）の構成は
携帯情報端末ケース（T１３）の一部に
連結穴（T１２）を複数個設け
連結穴（T１２）に
固定ピン（T１８）を使用して着脱自在な軸棒（T１６）を
携帯情報端末ケース（T１３）の一部に設け
さらに軸棒（T１６）と滑動自在に連結する滑動部（T１５）
を軸棒（T１６）に滑動自在に挿通して設け、
滑動部（T１５）に備えた連結穴（T２１）と把持部（T１４）を回動自在に連結する
本発明の滑動自在な把持部を備えた携帯情報端末ケース（T１１）を使用する場合は
携帯情報端末ケース（T１３）に携帯情報端末を装着し
携帯情報端末ケース（T１３）に設けた把持部（T１４）に手の指を通して把持し
手のひらの角度を変えることで把持部（T１４）が滑動
することで携帯情報端末の画面に指が届く範囲が広くなる
また接続穴（T１２）により、使用者の手の都合に合わせた
保持を設定することができる。
【０２９９】
[実施形態２１］
本発明の滑動自在な把持部を備えた携帯情報端末バンパー（U１１）の構成は
携帯情報端末バンパー（U２３）の一部に
連結穴（U２１）を複数個備えた固定板（U２２）を設け
固定板（U２２）に備えた連結穴（U２１）に
固定ピン（U２０）を使用して着脱自在な軸棒（U２５）を
固定板（U２２）の一部に設け
さらに軸棒（U２５）と滑動自在に連結する滑動部（U１５）
を軸棒（U２５）に滑動自在に挿通して設け、
滑動部（U１５）に備えた連結穴（U１６）と把持部（U１４）を回動自在に連結する
本発明の滑動自在な把持部を備えた携帯情報端末バンパー（U１１）を使用する場合は
携帯情報端末バンパー（U２３）に携帯情報端末を装着し
携帯情報端末バンパー（U２３）に設けた把持部（U１４）に手の指を通して把持し
手のひらの角度を変えることで把持部（U１４）が滑動
することで携帯情報端末の画面に指が届く範囲が広くなる
また軸棒（U２５）を接続穴（U２１）の取り付ける位置を変えることで、使用者の手の都
合に合わせた保持を設定することができる。
【０３００】
[実施形態２２］
本発明の滑動自在な把持部を備えた携帯情報端末バンパー（V１１）の構成は
携帯情報端末バンパー（V１５）の一部に
把持部（V１２）と滑動部（V１３）を設け
滑動部（V１３）に備えた連結穴（V２０）と
把持部（V１２）に備えた連結穴（V１９）とを軸（V２２）により
回動自在に連結し
連結した滑動部（V１３）を箱（V１７）に滑動自在に収納して
設け、さらに箱（V１７）の一部に滑動部（V１３）と連結した把持部（V１２）が
滑動する窓（V１４）を設け
さらに箱（V１７）の一部に回動自在な軸窓（V２４）と軸（V２３）を設け
携帯情報端末バンパー（V１５）の一部に軸（V２３）を回動自在に取り着ける挿着部（V
１６）を設け、箱（V１７）を携帯情報端末バンパー（V１５）に回動自在に設ける
本発明の滑動自在な把持部を備えた携帯情報端末バンパー（V１１）を
使用する場合は携帯情報端末バンパー（V１５）に
携帯情報端末を装着し
滑動自在な把持部を備えた携帯情報端末バンパー（V１１）
に設けた把持部（V１２）に手の指を通して把持し手のひらの角度を
変えることで把持部（V１２）が窓（V１７）を滑動
することで、携帯情報端末の画面に指が届く範囲が広くなる
また回動自在な軸窓（V２４）により箱（V１７）が回動自在なため
上下左右斜めの方向へ滑動自在に保持することができる。
また滑動部（V１３）に備えた円形状の係合部（V２１）と
滑動部（V１３）に備えた連結穴（V２０）により
把持部（V１２）が回動自在になり手の角度に応じた自由な角度での把持ができる
【０３０１】
[実施形態２３］
本発明の滑動自在な把持部を備えた携帯情報端末ケース（W１１）の構成は
携帯情報端末ケース（W１７）の一部に
把持部（W１６）と滑動部（W２１）を設け
滑動部（W２１）に備えた連結穴（W２３）と
把持部（W１６）に備えた連結穴（W２４）とを軸（W１８）により
回動自在に連結し
連結した滑動部（W２１）を箱（W１３）に滑動自在に収納して
設け、さらに箱（W１３）の一部に滑動部（W２１）と連結した把持部（W１６）が
滑動する窓（W１２）を設け
さらに箱（W１３）の一部に回動自在な軸窓（W２２）と軸（W１９）を設け
携帯情報端末ケース（W１７）の一部に軸（W１９）を回動自在に取り着ける挿着部（W２
５）を
設ける
本発明の滑動自在な把持部を備えた携帯情報端末ケース（W１１）を
使用する場合は携帯情報端末ケース（W１７）に
携帯情報端末（W２０）を装着し
滑動自在な把持部を備えた携帯情報端末ケース（W１１）
に設けた把持部（W１６）に手の指を通して把持し手のひらの角度を
変えることで把持部（W１６）が窓（W１２）を滑動
することで、携帯情報端末（W２０）の画面に指が届く範囲が広くなる
また回動自在な軸窓（W２２）により箱（W１３）が回動自在なため
上下左右斜めの方向へ滑動自在に保持することができる。
また滑動部（W２１）に備えた円形状の係合部（W２７）と
滑動部（W２１）に備えた連結穴（W２３）により
把持部（W１６）が回動自在になり手の角度に応じた自由な角度での把持ができる
【０３０２】
[実施形態２４］
本発明の滑動自在な把持具（X１１）の構成は
滑動自在な把持具（X１１）の一部に
把持部（X１７）と滑動部（X２１）を設け
滑動部（X２１）に備えた連結穴（X２６）と
把持部（X１７）に備えた連結穴（X２５）とを軸（X２３）により回動自在に連結し
連結した滑動部（X２１）を箱（X２０）に滑動自在に収納して
設け、さらに箱（X２０）の一部に滑動部（X２１）と連結した把持部（X１７）が
滑動する窓（X１９）を設け
さらに箱（X２０）の一部に吸着部（X１４）と回動自在な軸窓（X２７）を設け、軸窓（X
２７）を軸（X２２）により吸着部（X１４）に備えた挿着部（X２８）に回転自在に挿着
して設ける
本発明の滑動自在な把持具（X１１）を使用する場合は
コントローラーまたは携帯情報端末または携帯情報端末または
携帯情報端末ケースなどに
滑動自在な把持具（X１１）を装着し滑動自在な把持具（X１１）
に設けた把持部（X１７）に手の指を通して把持し手のひらの角度を
変えることで把持部（X１７）が窓（X１９）を滑動
することで、コントローラーまたは携帯情報端末または
携帯情報端末または携帯情報端末ケースなどを把持したままでも指が
届く範囲が広くなる
また回動自在な軸窓（X２７）により箱（X２０）が回動自在なため
上下左右斜めの方向へ滑動自在に保持することができる。
また滑動部（X２１）に備えた円形状の係合部（X１５）と
滑動部（X２１）に備えた連結穴（X２６）により
把持部（X１７）が回動自在になり手の角度に応じた自由な角度での把持ができる
また吸着部（X１４）により好きな位置に滑動自在な把持具（X１１）
を着脱自在に装着できる
【０３０３】
[実施形態２５］
本発明の滑動自在な把持具（Y１１）の構成は
滑動自在な把持具（Y１１）の一部に
把持部（Y１７）と滑動部（Y２１）を設け
滑動部（Y２１）に備えた連結穴（Y１２）と
把持部（Y１７）に備えた連結穴（Y２５）とを軸（Y２３）により回動自在に連結し
連結した滑動部（Y２１）を箱（Y２０）に滑動自在に収納して
設け、さらに箱（Y２０）の一部に滑動部（X２１）と連結した把持部（Y１７）が
滑動する窓（Y１９）を設け
さらに箱（Y２０）の一部に回動自在な軸窓（Y１３）を設け、軸窓（Y１３）を軸（Y２２
）により磁力により吸着する吸着部（Y１８）に備えた挿着部（Y１５）に回転自在に挿着
して設ける
さらに吸着部（Y１８）が吸着する接着面（Y２７）を備えた吸着板（Y２４）を
吸着部（Y１８）に吸着して設ける
本発明の滑動自在な把持具（Y１１）を使用する場合は
コントローラーまたは携帯情報端末または携帯情報端末または
携帯情報端末ケースなどに
滑動自在な把持具（Y１１）を接着面（Y２７）により装着し滑動自在な把持具（Y１１）
に設けた把持部（Y１７）に手の指を通して把持し手のひらの角度を
変えることで把持部（Y１７）が窓（Y１９）を滑動
することで、コントローラーまたは携帯情報端末または
携帯情報端末または携帯情報端末ケースなどを把持したままでも指が
届く範囲が広くなる
また回動自在な軸窓（Y１３）により箱（Y２０）が回動自在なため
上下左右斜めの方向へ滑動自在に保持することができる。
また滑動部（Y２１）に備えた円形状の係合部（Y２６）と
滑動部（Y２１）に備えた連結穴（Y１２）により
把持部（Y１７）が回動自在になり手の角度に応じた自由な角度での把持ができる
また吸着部（Y１８）を吸着板（Y２４）上で好きな位置に滑動自在な把持具（Y１１）
を着脱自在に装着できる
【０３０４】
[実施形態２６］
本発明の滑動自在な把持具（Z１１）の構成は
滑動自在な把持具（Z１１）の一部に
把持部（Z１７）と滑動部（Z２１）を設け
滑動部（Z２１）に備えた連結穴（Z１３）と
把持部（Z１７）に備えた連結穴（Z１２）とを軸（Z２３）により回動自在に連結し
連結した滑動部（Z２１）を箱（Z２０）に滑動自在に収納して
設け、さらに箱（Z２０）の一部に滑動部（Z２１）と連結した把持部（Z１７）が
滑動する窓（Z１９）を設け
さらに箱（Z２０）の一部に回動自在な軸窓（Z１５）を設け、軸窓（Z１５）を軸（Z２２
）により装着部（Z１８）に備えた挿着部（Z１６）に回転自在に挿着して設ける
本発明の滑動自在な把持具（Z１１）を使用する場合は
コントローラーまたは携帯情報端末または携帯情報端末または
携帯情報端末ケースなどに
滑動自在な把持具（Z１７）を接着面（Z２６）により装着し滑動自在な把持具（Z１７）
に設けた把持部（Z１７）に手の指を通して把持し手のひらの角度を
変えることで把持部（Z１７）が窓（Z１９）を滑動
することで、コントローラーまたは携帯情報端末または
携帯情報端末または携帯情報端末ケースなどを把持したままでも指が
届く範囲が広くなる
また回動自在な軸窓（Z１５）により箱（Z２０）が回動自在なため
上下左右斜めの方向へ滑動自在に保持することができる。
また滑動部（Z２１）に備えた円形状の係合部（Z２５）と
滑動部（Z２１）に備えた連結穴（Z１３）により
把持部（Z１７）が回動自在になり手の角度に応じた自由な角度での把持ができる
【０３０５】
[実施形態２７］
本発明の滑動自在な把持具（AA１１）の構成は
滑動自在な把持具（AA１１）の一部に
把持部（AA１７）と滑動部（AA２１）を設け
滑動部（AA２１）に備えた連結穴（AA２６）と
把持部（AA１７）に備えた連結穴（AA２５）とを軸（AA２３）により
回動自在に連結し
連結した滑動部（AA２１）を箱（AA２０）に滑動自在に収納して
設け、さらに箱（AA２０）の一部に滑動部（AA２１）と連結した把持部（AA１７）が
滑動する窓（AA１９）を設け
さらに箱（AA２０）の一部に回動自在な軸窓（AA２７）を設け、軸窓（AA２７）を軸（AA
２２）により装着部（AA１８）に備えた挿着部（AA１２）に回転自在に挿着して
設けさらに装着部（AA１８）の一部に着脱自在な着脱面（AA２４）を
設け、着脱面（AA２４）と
着脱自在な着脱面（AA１６）と貼り付け面（AA２８）を備えた
装着部（AA１５）を設ける
本発明の滑動自在な把持具（AA１１）を使用する場合は
コントローラーまたは携帯情報端末または携帯情報端末または
携帯情報端末ケースなどに
滑動自在な把持具（AA１１）を貼り付け面（AA２８）により
装着し滑動自在な把持具（AA１１）
に設けた把持部（AA１７）に手の指を通して把持し手のひらの角度を
変えることで把持部（AA１７）が窓（AA１９）を滑動
することで、コントローラーまたは携帯情報端末または
携帯情報端末または携帯情報端末ケースなどを把持したままでも指が
届く範囲が広くなる
また回動自在な軸窓（AA２７）により箱（AA２０）が回動自在なため
上下左右斜めの方向へ滑動自在に保持することができる。
また滑動部（AA２１）に備えた円形状の係合部（AA２９）と
滑動部（AA２１）に備えた連結穴（AA２６）により
把持部（AA１７）が回動自在になり手の角度に応じた自由な角度での把持ができる
また装着部（AA１８）に備えた爪（AA１４）により、容易に着脱自在なため
好きな位置に滑動自在な把持具（AA１１）を装着部（AA１５）の着脱面（AA１６）
に装着できる。
【０３０６】
[実施形態２８］
本発明の滑動自在な把持部を備えた携帯情報端末バンパー（BB１１）の構成は
携帯情報端末バンパー（BB１２）の一部に案内溝（BB１４）
を設け、さらに案内溝（BB１６）を備えたプレート（BB１５）を
携帯情報端末バンパー（BB１２）の案内溝（BB１４）に滑動自在に設け、
プレート（BB１５）に備えた案内溝（BB１６）を
滑動部（BB２５）と接続部（BB１７）で回動、滑動自在に挟んで挿着して設け
滑動部（BB２５）に備えた連結穴（BB２６）と接続部（BB１７）に備えた連結穴（BB２３
）と把持部（BB１８）に備えた連結穴（BB２１）を
回動自在に連結して設ける
本発明の滑動自在な把持部を備えた携帯情報端末バンパー（BB１１）を使用する場合は
携帯情報端末バンパー（BB１１）に携帯情報端末を装着し
携帯情報端末バンパー（BB１１）に設けた滑動自在な把持部（BB１８）に手の指を
通して把持し手のひらの角度を変えることで上下左右斜めに滑動自在な
把持部（BB１８）が滑動
することで携帯情報端末の画面に指が届く範囲が広くなる
【０３０７】
[実施形態２９］
本発明の滑動自在な把持部を備えた携帯情報端末バンパー（CC１１）の構成は
携帯情報端末バンパー（CC１５）の一部に案内軸（CC１４）
を設け、さらに案内溝（CC１３）を備えたプレート（CC１７）を
携帯情報端末バンパー（CC１５）の案内軸（CC１４）に滑動自在に設け、
プレート（CC１７）に備えた案内溝（CC１３）を
滑動部（CC２１）と接続部（CC１８）で回動、滑動自在に挟んで挿着して設け
滑動部（CC２１）に備えた連結穴（CC２２）と接続部（CC１８）に備えた連結穴（CC２６
）と把持部（CC１９）に備えた連結穴（CC２５）を
回動自在に連結して設ける
本発明の滑動自在な把持部を備えた携帯情報端末バンパー（CC１１）を使用する場合は
携帯情報端末バンパー（CC１１）に携帯情報端末を装着し
携帯情報端末バンパー（CC１１）に設けた滑動自在な把持部（CC１９）に手の指を
通して把持し手のひらの角度を変えることで上下左右斜めに滑動自在な
把持部（CC１９）が滑動
することで携帯情報端末の画面に指が届く範囲が広くなる
【０３０８】
[実施形態３０］
本発明の滑動自在な把持部を備えたコントローラー（DD１１）の構成は
コントローラー（DD１４）の一部に                 
枠（DD２２）と枠（DD２３）を備える枠（DD１２）を接着して設け
枠（DD２２）と枠（DD２３）の間の幅（DD２４）より大きな滑動部（DD１５）と
滑動部（DD１６）を枠（DD２２）と枠（DD２３）の間の位置に枠（DD１２）の
表面と裏面とを挟んで
枠（DD１２）から滑動部（DD１５）と滑動部（DD１６）が
外れることがなく上下左右斜めへ自在に滑動できるように設け
さらに滑動部（DD１５）に備えた
連結穴（DD１８）に
把持部（DD１３）を軸（DD１９）により回動自在に連結して設ける
本発明の滑動自在な把持部を備えたコントローラー（DD１１）を使用する場合は
コントローラー（DD１１）
に設けた把持部（DD１３）に手の指を通して把持し手のひらの角度を
変えることで
把持部（DD１３）が枠（DD１２）を滑動
することで、
把持したままでも指が届く範囲が広くなり
上下左右斜めの方向へ回動、滑動自在に保持することができる。
また滑動部（DD１５）に備えた連結穴（DD１８）により
把持部（DD１３）が回動自在になり手の角度に応じた自由な角度での把持ができる
【０３０９】
[実施形態３１］
本発明の滑動自在な把持部を備えた携帯情報端末バンパー（EE１１）の構成は
携帯情報端末バンパー（EE１３）の一部に
U字状の枠（EE１２）を設け
U字状の枠（EE１２）の内側（EE１８E）の幅（EE１９）より大きな滑動部（EE１６）と滑
動部（EE１５）
をU字状の枠（EE１２）の内側（EE１８）の位置にU字状の枠（EE１２）の表面（EE２０）
と裏面（EE２７）を挟んで
U字状の枠（EE１２）の中から滑動部（EE１６）と滑動部（EE１５）が外れることがなく
上下左右斜めへ自在に滑動できるように連結して設けさらに滑動部（EE１６）に把持部（
EE１７）を回動自在に連結して設ける
本発明の滑動自在な把持部を備えた携帯情報端末バンパー（EE１１）を使用する場合は
携帯情報端末バンパー（EE１３）に携帯情報端末を装着し
携帯情報端末バンパー（EE１３）に設けた滑動自在な把持部（EE１７）に手の指を通して
把持し手のひらの角度を変えることで
把持部（EE１７）がU字状の枠（EE１２）の内側（EE１８）を滑動
することで、
把持したままでも指が届く範囲が広くなる
またU字状の枠（EE１２）の内側（EE１８）と連結部（EE２９）の間には
回動、滑動自在なスペースがあるため
上下左右斜めの方向へ回動、滑動自在に保持することができる。
また滑動部（EE１６）に備えた連結部（EE１４）の連結穴（EE２５）により
把持部（EE１７）が回動自在になり手の角度に応じた自由な角度での把持ができる
【０３１０】
[実施形態３２］
本発明の滑動自在な把持具（FF１１）の構成は
滑動自在な把持具（FF１１）の一部に               
接着面（FF１４）を備えたフィルム状の接着部（FF１２）を設け
接着部（FF１２）の一部に
枠（FF１３）と枠（FF３３）を備える枠（FF３４）を接着して設け
枠（FF１３）と枠（FF３３）の間の幅（FF２５）より大きな滑動部（FF１６）と
滑動部（FF１５）を枠（FF１３）と枠（FF３３）の間の位置に枠（FF３４）の
表面（FF２１）と裏面（FF２２）とを挟んで
枠（FF３４）から滑動部（FF１６）と滑動部（FF１５）が
外れることがなく上下左右斜めへ自在に滑動できるように設け
さらに滑動部（FF１５）に備えた
連結部（FF１８）の連結穴（FF２６）に
把持部（FF１７）を軸（FF１９）により回動自在に連結して設ける
本発明の滑動自在な把持具（FF１７）を使用する場合は
コントローラーまたは携帯情報端末または携帯情報端末または
携帯情報端末ケースなどに
滑動自在な把持具（FF１７）を接着部（FF１２）により装着し滑動自在な把持具（FF１１
）
に設けた把持部（FF１７）に手の指を通して把持し手のひらの角度を
変えることで
把持部（FF１７）が枠（FF３４）を滑動
することで、
把持したままでも指が届く範囲が広くなる
また枠（FF３４）の間の幅（FF２５）と滑動部（FF１６）の
連結部（FF２９）には
回動、滑動自在なスペースがあるため
上下左右斜めの方向へ回動、滑動自在に保持することができる。
また滑動部（FF１６）に備えた連結穴（FF２６）により
把持部（FF１７）が回動自在になり手の角度に応じた自由な角度での把持ができる
【０３１１】
[実施形態３３］
本発明の滑動自在な把持具（GG１１）の構成は
滑動自在な把持具（GG１１）の一部に
把持部（GG１７）と滑動部（GG１８）を設け
滑動部（GG１８）に備えた連結穴（GG２０）と
把持部（GG１７）に備えた連結穴（GG２３）とを軸（GG２１）により
回動自在に連結し
連結した滑動部（GG１８）を箱（GG１５）に滑動自在に収納して
設け、さらに箱（GG１５）の一部に滑動部（GG１８）と連結した把持部（GG１７）が
滑動する窓（GG１９）を設け
さらに箱（GG１５）の一部に吸着部（１４）と
軸窓（GG２４）を設け、軸窓（GG２４）を軸（GG２２）により吸着部（GG１４）に備えた
挿着部（GG２５）に挿着して設ける
本発明の滑動自在な把持具（GG１１）を使用する場合は
コントローラーまたは携帯情報端末または携帯情報端末または
携帯情報端末ケースなどに
滑動自在な把持具（GG１１）を装着し滑動自在な把持具（GG１７）
に設けた把持部（GG１７）に手の指を通して把持し手のひらの角度を
変えることで把持部（GG１７）が窓（GG１９）を滑動
することで、コントローラーまたは携帯情報端末または
携帯情報端末または携帯情報端末ケースなどを把持したままでも指が
届く範囲が広くなる
また滑動部（GG１８）に備えた円形状の係合部（GG２６）と
滑動部（GG１８）に備えた連結穴（GG２０）により
把持部（GG１７）が回動自在になり手の角度に応じた自由な角度での把持ができる
また吸着部（GG１４）により好きな位置に滑動自在な把持具（GG１１）
を着脱自在に装着できる
【０３１２】
[実施形態３４］
本発明の滑動自在な把持部を備えた携帯情報端末ケース（HH１１）の構成は
携帯情報端末ケース（HH２３）の一部に開閉溝（HH２２）と
掛止溝（HH２６）を設け
携帯情報端末ケース（HH２３）の一部に備えた開閉溝（HH２２）
と掛止溝（HH２６）により
携帯情報端末ケース（HH２３）に着脱自在な蓋（HH３１）に
開閉部（HH２７）と掛止部（HH３２）と
開口部（HH２９）を設け
蓋（HH３１）に備えた開口部（HH２９）の幅（HH３０）
より大きな滑動部（HH１５）と滑動部（HH１９）
を蓋（HH３１）の開口部（HH２９）の
の位置に開口部（HH２９）の表面（HH３５）と裏面（HH３６）を挟んで
蓋（HH３１）の開口部（HH２９）から滑動部（HH１５）と
滑動部（HH１９）が外れることがなく
上下左右斜めへ自在に滑動できるように連結して設けさらに
滑動部（HH１５）に把持部（HH１２）を回動自在に連結して設ける
本発明の滑動自在な把持部を備えた携帯情報端末ケース（HH１１）を使用する場合は
携帯情報端末ケース（HH１１）に携帯情報端末（HH３４）を装着し
携帯情報端末ケース（HH１１）に設けた滑動自在な把持部（HH１２）に手の指を通して把
持し手のひらの角度を変えることで把持部（HH１２）
が蓋（HH３１）の開口部（HH２９）を
滑動し把持したままでも指が届く範囲が広くなる
また開口部（HH２９）と滑動部（HH１９）に備えた連結部（HH２０）の間には
回動、滑動自在なスペースがあるため
上下左右斜めの方向へ回動、滑動自在に保持することができる。
また滑動部（HH１５）に備えた連結部（HH１６）の連結穴（HH１７）により
把持部（HH１２）が回動自在になり手の角度に応じた自由な角度での把持ができる
また蓋（HH３１）をケース（HH２３）から取り外すことで携帯情報端末ケース（HH１１）
の厚みが薄くなりワイヤレス充電に対応できる
【０３１３】
[実施形態３５］
本発明の滑動自在な把持部を備えた携帯情報端末ケース（II１１）の構成は
携帯情報端末ケース（II２４）の一部に開閉溝（II２３）と回動部（II２８）を設け
携帯情報端末ケース（II２４）の一部に備えた開閉溝（II２３）と回動部（II２８）によ
り
携帯情報端末ケース（II２４）と開閉自在な蓋（II３５）に
携帯情報端末ケース（II２４）に設けた回動部（II２８）と連結する回動部（II３４）と
開閉部（II２９）と開口部（II３１）を設け
蓋（II３５）に備えた開口部（II３１）の幅（II３２）より大きな滑動部（II１５）
と滑動部（II１９）
を蓋（II３５）の開口部（II３１）の
の位置に開口部（II３１）の表面と裏面を挟んで
蓋（II３５）の開口部（II３１）から滑動部（II１５）と
滑動部（II１９）が外れることがなく
上下左右斜めへ自在に滑動できるように連結して設けさらに
滑動部（II１５）に把持部（II１２）を回動自在に連結して設ける
本発明の滑動自在な把持部を備えた携帯情報端末ケース（II１１）を使用する場合は
携帯情報端末ケース（II１１）に携帯情報端末を装着し
携帯情報端末ケース（II１１）に設けた滑動自在な把持部（II１２）に手の指を通して把
持し手のひらの角度を変えることで把持部（II１２）が蓋（II３５）の開口部（II３１）
を
滑動し把持したままでも指が届く範囲が広くなる
また開口部（II３１）と滑動部（II１９）に備えた連結部（II２０）の間には
回動、滑動自在なスペースがあるため
上下左右斜めの方向へ回動、滑動自在に保持することができる。
また滑動部（II１５）に備えた連結部（II１６）の連結穴（II１８）により
把持部（II１２）が回動自在になり手の角度に応じた自由な角度での把持ができる
また蓋（II３５）を携帯情報端末ケース（II２４）から開閉することで携帯情報端末ケー
ス（II１１）の
厚みが薄くなりワイヤレス充電に対応できる
【図面の簡単な説明】
【０３１４】
【図１】実施形態１の滑動自在な把持部を備えた携帯情報端末ケースの分解斜視図
【図２】実施形態１の滑動自在な把持部を備えた携帯情報端末ケースの図（A−１）滑動自在な把持部を備えた携帯情報端末ケースの断面図（A−２）滑動自在な把持部を備えた携帯情報端末ケースの正面図
【図３】実施形態２の滑動自在な把持部を備えた携帯情報端末ケースの図（B−１）滑動自在な把持部を備えた携帯情報端末ケースの斜視図（B−２）滑動自在な把持部を備えた携帯情報端末ケースの断面斜視図
【図４】実施形態２の滑動自在な把持部を備えた携帯情報端末ケースの図（B−３）滑動自在な把持部を備えた携帯情報端末ケースの滑動自在な把持部の正面図（B−４）滑動自在な把持部を備えた携帯情報端末ケースの滑動自在な把持部の側面図（B−５）滑動自在な把持部を備えた携帯情報端末ケースのケース部の断面図
【図５】実施形態２の滑動自在な把持部を備えた携帯情報端末ケースの滑動自在な把持部の分解斜視図
【図６】実施形態３の滑動自在な把持部を備えた携帯情報端末ケースの分解斜視図
【図７】実施形態３の滑動自在な把持部を備えた携帯情報端末ケースの図（C−１）滑動自在な把持部を備えた携帯情報端末ケースの断面図（C−２）滑動自在な把持部を備えた携帯情報端末ケースの滑動部の正面図（C−３）滑動自在な把持部を備えた携帯情報端末ケースの滑動自在な把持部の斜視図（C−４）滑動自在な把持部を備えた携帯情報端末ケースの斜視図
【図８】実施形態４の滑動自在な把持具の分解斜視図
【図９】実施形態４の滑動自在な把持具を装着した携帯情報端末ケースの斜視図
【図１０】実施形態４の滑動自在な把持具の斜視図
【図１１】実施形態５の滑動自在な把持具の分解斜視図
【図１２】実施形態５の滑動自在な把持具の図（E−１）滑動自在な把持具の斜視図（E−２）滑動自在な把持具を装着した携帯情報端末ケースの斜視図
【図１３】実施形態６の滑動自在な把持具の分解斜視図
【図１４】実施形態６の滑動自在な把持具を装着した携帯情報端末ケースの斜視図
【図１５】実施形態６の滑動自在な把持具の斜視図
【図１６】実施形態７の滑動自在な把持具の斜視図
【図１７】実施形態７の滑動自在な把持具の分解斜視図
【図１８】実施形態７の滑動自在な把持具を装着した携帯情報端末ケースの斜視図
【図１９】実施形態７の滑動自在な把持具の図（G−１）滑動自在な把持具の断面図（G−２）滑動自在な把持具を装着した携帯情報端末ケースの正面図
【図２０】実施形態８の滑動自在な把持部を備えた携帯情報端末ケースの分解斜視図
【図２１】実施形態８の滑動自在な把持部を備えた携帯情報端末ケースの断面図
【図２２】実施形態９の滑動自在な把持具の図（I−１）滑動自在な把持具の斜視図（I−２）滑動自在な把持具の側面図
【図２３】実施形態９の滑動自在な把持具の分解斜視図
【図２４】実施形態９の滑動自在な把持具の図（I−３）滑動自在な把持具の枠の斜視図（I−４）滑動自在な把持具の枠の側面図
【図２５】実施形態９の滑動自在な把持具の図（I−５）滑動自在な把持具を携帯情報端末ケースに装着した時の断面図（I−６）滑動自在な把持具を携帯情報端末ケースに装着した時の斜視図
【図２６】実施形態１０の滑動自在な把持部を備えた携帯情報端末ケースの斜視図
【図２７】実施形態１０の滑動自在な把持部を備えた携帯情報端末ケースの断面図
【図２８】実施形態１０の滑動自在な把持部を備えた携帯情報端末ケースの分解斜視図
【図２９】実施形態１１の滑動自在な把持部を備えた携帯情報端末ケースの斜視図
【図３０】実施形態１１の滑動自在な把持部を備えた携帯情報端末ケースの分解斜視図
【図３１】実施形態１１の滑動自在な把持部を備えた携帯情報端末ケースの断面図
【図３２】実施形態１２の滑動自在な把持部を備えた携帯情報端末ケースの図（L−１）滑動自在な把持部を備えた携帯情報端末ケースの滑動部の正面図（L−２）滑動自在な把持部を備えた携帯情報端末ケースの斜視図
【図３３】実施形態１３の滑動自在な把持部を備えた携帯情報端末バンパーの斜視図
【図３４】実施形態１３の滑動自在な把持部を備えた携帯情報端末バンパーの斜視図
【図３５】実施形態１３の滑動自在な把持部を備えた携帯情報端末バンパーの分解斜視図
【図３６】実施形態１３の滑動自在な把持部を備えた携帯情報端末バンパーの図（M−１）滑動自在な把持部を備えた携帯情報端末バンパーの断面図（M−２）滑動自在な把持部を備えた携帯情報端末バンパーの平面図
【図３７】実施形態１４の滑動自在な把持部を備えた携帯情報端末バンパーの斜視図
【図３８】実施形態１４の滑動自在な把持部を備えた携帯情報端末バンパーの分解斜視図
【図３９】実施形態１４の滑動自在な把持部を備えた携帯情報端末バンパーの断面図
【図４０】実施形態１５の滑動自在な把持部を備えた携帯情報端末ケースの斜視図
【図４１】実施形態１５の滑動自在な把持部を備えた携帯情報端末ケースの分解斜視図
【図４２】実施形態１６の滑動自在な把持部を備えた携帯情報端末バンパーの断面図
【図４３】実施形態１６の滑動自在な把持部を備えた携帯情報端末バンパーの斜視図
【図４４】実施形態１６の滑動自在な把持部を備えた携帯情報端末バンパーの分解斜視図
【図４５】実施形態１７の滑動自在な把持部を備えた携帯情報端末ケースの断面図
【図４６】実施形態１７の滑動自在な把持部を備えた携帯情報端末ケースの斜視図
【図４７】実施形態１７の滑動自在な把持部を備えた携帯情報端末ケースの分解斜視図
【図４８】実施形態１８の滑動自在な把持部を備えた携帯情報端末バンパーの断面図
【図４９】実施形態１８の滑動自在な把持部を備えた携帯情報端末バンパーの斜視図
【図５０】実施形態１８の滑動自在な把持部を備えた携帯情報端末バンパーの分解斜視図
【図５１】実施形態１９の滑動自在な把持部を備えた携帯情報端末ケースの断面図
【図５２】実施形態１９の滑動自在な把持部を備えた携帯情報端末ケースの斜視図
【図５３】実施形態１９の滑動自在な把持部を備えた携帯情報端末ケースの分解斜視図
【図５４】実施形態２０の滑動自在な把持部を備えた携帯情報端末ケースの分解斜視図
【図５５】実施形態２０の滑動自在な把持部を備えた携帯情報端末ケースの斜視図
【図５６】実施形態２１の滑動自在な把持部を備えた携帯情報端末バンパーの分解斜視図
【図５７】実施形態２１の滑動自在な把持部を備えた携帯情報端末バンパーの斜視図
【図５８】実施形態２２の滑動自在な把持部を備えた携帯情報端末バンパーの斜視図
【図５９】実施形態２２の滑動自在な把持部を備えた携帯情報端末バンパーの分解斜視図
【図６０】実施形態２３の滑動自在な把持部を備えた携帯情報端末ケースの分解斜視図
【図６１】実施形態２３の滑動自在な把持部を備えた携帯情報端末ケースの断面図
【図６２】実施形態２３の滑動自在な把持部を備えた携帯情報端末ケースの斜視図
【図６３】実施形態２４の滑動自在な把持具の斜視図
【図６４】実施形態２４の滑動自在な把持具の断面図
【図６５】実施形態２４の滑動自在な把持具の分解斜視図
【図６６】実施形態２５の滑動自在な把持具の分解斜視図
【図６７】実施形態２５の滑動自在な把持具の斜視図
【図６８】実施形態２６の滑動自在な把持具の分解斜視図
【図６９】実施形態２６の滑動自在な把持具の斜視図
【図７０】実施形態２７の滑動自在な把持具の分解斜視図
【図７１】実施形態２７の滑動自在な把持具の斜視図
【図７２】実施形態２８の滑動自在な把持部を備えた携帯情報端末バンパーの斜視図
【図７３】実施形態２８の滑動自在な把持部を備えた携帯情報端末バンパーの分解斜視図
【図７４】実施形態２９の滑動自在な把持部を備えた携帯情報端末バンパーの斜視図
【図７５】実施形態２９の滑動自在な把持部を備えた携帯情報端末バンパーの分解斜視図
【図７６】実施形態３０の滑動自在な把持部を備えたコントローラーの斜視図
【図７７】実施形態３０の滑動自在な把持部を備えたコントローラーの分解斜視図
【図７８】実施形態３１の滑動自在な把持部を備えた携帯情報端末バンパーの斜視図
【図７９】実施形態３１の滑動自在な把持部を備えた携帯情報端末バンパーの断面図
【図８０】実施形態３１の滑動自在な把持部を備えた携帯情報端末バンパーの分解斜視図
【図８１】実施形態３２の滑動自在な把持具の斜視図
【図８２】実施形態３２の滑動自在な把持具の断面図
【図８３】実施形態３２の滑動自在な把持具の分解斜視図
【図８４】実施形態３３の滑動自在な把持具の斜視図
【図８５】実施形態３３の滑動自在な把持具の分解斜視図
【図８６】実施形態３４の滑動自在な把持部を備えた携帯情報端末ケースの斜視図
【図８７】実施形態３４の滑動自在な把持部を備えた携帯情報端末ケースの分解斜視図
【図８８】実施形態３４の滑動自在な把持部を備えた携帯情報端末ケースの断面図
【図８９】実施形態３５の滑動自在な把持部を備えた携帯情報端末ケースの斜視図
【図９０】実施形態３５の滑動自在な把持部を備えた携帯情報端末ケースの分解斜視図
【符号の説明】
【０３１５】
A１１  滑動自在な把持部を備えた携帯情報端末ケース
A１２  携帯情報端末ケース
A１３  把持部
A１４  連結穴
A１５  連結穴
A１６  軸
A１７  フタ
A１８  滑動部
A１９  回動自在な連結部
A２０  穴
A２１  連結穴
A２２  接続部
A２３  連結部
A２４  軸棒の連結穴
A２５  軸棒
A２６  固着部
A２７  軸棒の連結部
A２８  軸棒
A２９  固着部
A３０  軸棒の固着部兼把持部の収納部
A３１  携帯情報端末
A３２  脱着自在なストッパー
A３３  断面位置
B１１  滑動自在な把持部を備えた携帯情報端末ケース
B１２  携帯情報端末ケース
B１３  ケースの蓋
B１４  案内溝
B１５  滑動自在な把持部
B１６  把持部
B１７  連結穴
B１８  滑動部と把持部との連結部
B１９  接続穴
B２０  接続穴
B２１  滑動部
B２２  連結部
B２３  連結穴
B２４  プレート
B２５  滑動自在な溝
B２６  棒
B２７  車輪軸
B２８  車輪軸の固定部
B２９  車輪取り付け部の車輪軸着穴
B３０  車輪
B３１  車輪の穴
B３２  車輪取り付け部
B３３  携帯情報端末
B３４  断面位置
C１１  滑動自在な把持部を備えた携帯情報端末ケース
C１２  プレート滑動スペース
C１３  把持部
C１４  プレート
C１５  滑動部
C１６  滑動自在な溝
C１７  滑動部と把持部との連結部
C１８  ストッパー
C１９  携帯情報端末ケース
C２０  携帯情報端末
C２１  案内溝
C２２  連結穴
C２３  連結穴
C２４  連結穴
C２５  接続穴
C２６  連結穴
C２７  棒
C２８  滑動部
C２９  ケースの蓋
C３０  滑動自在な把持部
C３１  断面位置
D１１  滑動自在な把持具
D１２  把持部
D１３  連結穴
D１４  連結穴
D１５  軸
D１６  接続部
D１７  滑動部
D１８  穴
D１９  回動自在な連結部
D２０  フタ
D２１  伸縮自在な軸
D２２  取り付け穴
D２３  装着部
D２４  連結部
D２５  連結部
D２６  連結穴
D２７  携帯情報端末ケース
D２８  ストッパー
E１１  滑動自在な把持具
E１２  把持部
E１３  連結穴
E１４  連結穴
E１５  軸
E１６  接続部
E１７  滑動部
E１８  穴
E１９  回動自在な連結部
E２０  蓋
E２１  滑動スペース
E２２  連結部
E２３  装着部
E２４  連結穴
E２５  連結部
E２６  連結穴
E２７  携帯情報端末ケース
E２８  軸棒
E２９  ストッパー
F１１  滑動自在な把持具
F１２  把持部
F１３  連結穴
F１４  連結穴
F１５  軸
F１６  接続部
F１７  滑動部
F１８  穴
F１９  回動自在な連結部
F２０  蓋
F２１  滑動スペース
F２２  取り付け穴
F２３  装着部
F２４  連結部
F２５  連結部
F２６  連結穴
F２７  情報端末ケース
F２８  ストッパー
F２９  遊びをもたせた軸棒
G１１  滑動自在な把持具
G１２  蓋
G１３  接続部
G１４  把持部
G１５  装着部
G１６  箱
G１７  窓
G１８  軸
G１９  係合部
G２０  滑動部
G２１  連結穴
G２２  連結穴
G２３  挿着部
G２４  連結穴
G２５  連結穴
G２６  携帯情報端末ケース
G２７  ストッパー
G２８  断面位置
H１１  滑動自在な把持部を備えた携帯情報端末ケース
H１２  携帯情報端末ケース
H１３  箱
H１４  窓
H１５  箱の蓋
H１６  把持部
H１７  把持部と滑動部の連結部
H１８  軸
H１９  滑動部
H２０  係合部
H２１  連結穴
H２２  連結穴
H２３  接続穴
H２４  連結穴
H２５  連結穴
H２６  携帯情報端末
H２７  ストッパー
H２８  滑動自在な把持部
H２９  断面位置
I１１  滑動自在な把持具
I１２  連結部
I１３  把持部
I１４  U字状の枠（
I１５  滑動部
I１６  表面
I１７  板
I１８  滑動部
I１９  接着部
I２０  軸
I２１  連結穴
I２２  連結穴
I２３  連結部
I２４  連結穴
I２５  挿着溝
I２６  携帯情報端末ケース
I２７  挿着部
I２８  内側
I２９  裏面
I３０  幅
I３１  断面位置
J１１  滑動自在な把持部を備えた携帯情報端末ケース
J１２  連結部
J１３  把持部
J１４  携帯情報端末ケース
J１５  U字状の枠
J１６  滑動部
J１７  滑動部
J１８  携帯情報端末
J１９  連結穴
J２０  連結穴
J２１  軸
J２２  連結穴
J２３  連結穴
J２４  連結穴
J２５  連結部
J２６  表面
J２７  裏面
J２８  幅
J２９  内側
J３０  断面位置
K１１  滑動自在な把持部を備えた携帯情報端末ケース
K１２  把持部
K１３  連結部
K１４  開口部
K１５  携帯情報端末ケース
K１６  滑動部
K１７  滑動部
K１８  蓋
K１９  連結穴
K２０  連結穴
K２１  軸
K２２  滑動スペース
K２３  装着溝
K２４  連結穴
K２５  連結部
K２６  連結穴
K２７  連結穴
K２８  携帯情報端末
K２９  幅
K３０  裏面
K３１  表面
K３２  断面
L１１  滑動自在な把持部を備えた携帯情報端末ケース
L１２  携帯情報端末ケース
L１３  固定部
L１４  軸
L１５  滑動部
L１６  軸
L１７  滑動部
L１８  把持部
L１９  軸
M１１  滑動自在な把持部を備えた携帯情報端末バンパー
M１２  バンパー
M１３  バンパー
M１４  把持部
M１５  案内溝
M１６  収納部
M１７  携帯情報端末の収納スペース
M１８  滑動部
M１９  携帯情報端末
M２０  脱着自在なストッパー
M２１  断面位置
N１１  滑動自在な把持部を備えた携帯情報端末バンパー
N１２  バンパー
N１３  案内溝
N１４  携帯情報端末の収納スペース
N１５  把持部
N１６  滑動部
N１７  収納溝
N１８  携帯情報端末
N１９  脱着自在なストッパー
N２０  断面位置
O１１  手帳型ケース
O１２  回動自在な板
O１３  回動軸
O１４  滑動自在な把持部を備えた側のケース
O１５  装着部
O１６  折り曲げ自在で脱着自在な接続部
O１７  保持部
O１８  携帯情報端末
O１９  携帯情報端末を保持する側のケース
O２０  紐蓋
O２１  吸着部
O２２  窓
O２３  吸着部
O２４  爪
O２５  滑動自在な軸
O２６  滑動部
O２７  車輪取り付け部
O２８  車輪
O２９  把持部
O３０  吸着部
O３１  滑動溝を備えた回動板の枠蓋
O３２  回動軸の軸着穴
O３３  車輪の穴
O３４  回動軸の軸着穴
O３５  案内溝
O３６  折り曲げ自在で脱着自在な装着部
O３７  回動軸の穴
O３８  車輪取り付け部の車輪軸着穴
O３９  車輪の軸
O４０  連結穴
O４１  滑動自在な軸の接続穴
O４２  滑動自在な軸の接続部
O４３  把持部を回動自在に連結する連結部
O４４  把持部の連結軸
O４５  滑動溝を備えた回動板の枠
O４６  把持部との連結穴
O４７  滑動自在な把持部
O４８  携帯情報端末を保持する側のケース
O４９  携帯情報端末を保持する側のケース
P１１  滑動自在な把持部を備えた携帯情報端末バンパー
P１２  携帯情報端末装着部
P１３  携帯情報端末バンパー
P１４  枠
P１５  携帯情報端末
P１６  滑動部
P１７  裏面
P１８  滑動部
P１９  把持部
P２０  ネジ部
P２１  滑り止め部
P２２  軸
P２３  断面位置
P２４  枠
P２５  ネジ溝
P２６  連結穴
P２７  滑動部
P２８  連結穴
P２９  接続部
P３０  連結穴
P３１  間の幅
P３２  間
P３３  表面
Q１１  滑動自在な把持部を備えた携帯情報端末ケース
Q１２  断面位置
Q１３  携帯情報端末ケース
Q１４  枠
Q１５  携帯情報端末
Q１６  滑動部
Q１７  間
Q１８  滑動部
Q１９  把持部
Q２０  ネジ部
Q２１  滑り止め部
Q２２  軸
Q２３  ネジ溝
Q２４  枠
Q２５  連結穴
Q２６  滑動部
Q２７  接続部
Q２８  連結穴
Q２９  連結穴
Q３０  間の幅
Q３１  表面
Q３２  裏面
R１１  滑動自在な把持部を備えた携帯情報端末バンパー
R１２  
R１３  携帯情報端末バンパー
R１４  枠
R１５  携帯情報端末
R１６  滑動部
R１７  接続部
R１８  滑動部
R１９  把持部
R２０  凹凸部
R２１  滑り止め部
R２２  軸
R２３  凹凸部
R２４  枠
R２５  滑動部
R２６  連結穴
R２７  連結穴
R２８  連結穴
R２９  間の幅
R３０  表面
R３１  裏面
R３２  間
S１１  携帯情報端末ケース
S１２  断面位置
S１３  携帯情報端末ケース
S１４  枠
S１５  携帯情報端末
S１６  滑動部
S１７  接続部
S１８  滑動部
S１９  把持部
S２０  凹凸部
S２１  滑り止め部
S２２  軸
S２３  凹凸部
S２４  枠
S２５  滑動部
S２６  連結穴
S２７  連結穴
S２８  連結穴
S２９  間の幅
S３０  表面
S３１  裏面
S３２  間
T１１  滑動自在な把持部を備えた携帯情報端末ケース
T１２  連結穴
T１３  携帯情報端末ケース
T１４  把持部
T１５  滑動部
T１６  軸棒
T１７  連結部
T１８  固定ピン
T１９  固定ピン
T２０  連結穴
T２１  連結穴
U１１  滑動自在な把持部を備えた携帯情報端末バンパー
U１２  固定ピン
U１３  連結穴
U１４  把持部
U１５  滑動部
U１６  連結穴
U１７  連結穴
U１８  固定ピン
U１９  連結穴
U２０  固定ピン
U２１  連結穴
U２２  固定板
U２３  携帯情報端末バンパー
U２４  携帯情報端末収納スペース
U２５  軸棒
V１１  滑動自在な把持部を備えた携帯情報端末バンパー
V１２  把持部
V１３  滑動部
V１４  窓
V１５  携帯情報端末バンパー
V１６  挿着部
V１７  箱
V１８  蓋
V１９  連結穴
V２０  連結穴
V２１  係合部
V２２  軸
V２３  軸
V２４  軸窓
W１１  滑動自在な把持部を備えた携帯情報端末ケース
W１２  窓
W１３  箱
W１４  係合部
W１５  蓋
W１６  把持部
W１７  携帯情報端末ケース
W１８  軸
W１９  軸
W２０  携帯情報端末
W２１  滑動部
W２２  軸窓
W２３  連結穴
W２４  連結穴
W２５  挿着部
W２６  断面位置
X１１  滑動自在な把持具
X１２  蓋
X１３  断面位置
X１４  吸着部
X１５  係合部
X１６  バンパー
X１７  把持部
X１８  爪
X１９  窓
X２０  箱
X２１  滑動部
X２２  軸
X２３  軸
X２４  携帯情報端末
X２５  連結穴
X２６  連結穴
X２７  軸窓
X２８  挿着部
Y１１  滑動自在な把持具
Y１２  連結穴
Y１３  軸窓
Y１４  爪
Y１５  挿着部
Y１６  蓋
Y１７  把持部
Y１８  吸着部
Y１９  窓
Y２０  箱
Y２１  滑動部
Y２２  軸
Y２３  軸
Y２４  吸着板
Y２５  連結穴
Y２６  係合部
Y２７  接着面
Z１１  滑動自在な把持具
Z１２  連結穴
Z１３  連結穴
Z１４  爪
Z１５  軸窓
Z１６  挿着部
Z１７  把持部
Z１８  装着部
Z１９  窓
Z２０  箱
Z２１  滑動部
Z２２  軸
Z２３  軸
Z２４  蓋
Z２５  係合部
Z２６  接着面
AA１１  滑動自在な把持具
AA１２  挿着部
AA１３  蓋
AA１４  爪
AA１５  装着部
AA１６  着脱面
AA１７  把持部
AA１８  装着部
AA１９  窓
AA２０  箱
AA２１  滑動部
AA２２  軸
AA２３  軸
AA２４  着脱面
AA２５  連結穴
AA２６  連結穴
AA２７  軸窓
AA２８  貼り付け面
AA２９  係合部
BB１１  滑動自在な把持部を備えた携帯情報端末バンパー
BB１２  携帯情報端末バンパー
BB１３  滑動部
BB１４  案内溝
BB１５  プレート
BB１６  案内溝
BB１７  接続部
BB１８  把持部
BB１９  携帯情報端末収納部
BB２０  軸
BB２１  連結穴
BB２２  連結穴
BB２３  連結穴
BB２４  係止部
BB２５  滑動部
BB２６  連結穴
CC１１  滑動自在な把持部を備えた携帯情報端末バンパー
CC１２  携帯情報端末収納部
CC１３  案内溝
CC１４  案内軸
CC１５  携帯情報端末バンパー
CC１６  滑動部
CC１７  プレート
CC１８  接続部
CC１９  把持部
CC２０  係止部
CC２１  滑動部
CC２２  連結穴
CC２３  軸
CC２４  連結穴
CC２５  連結穴
CC２６  連結穴
DD１１  滑動自在な把持部を備えたコントローラー
DD１２  枠
DD１３  把持部
DD１４  コントローラー
DD１５  滑動部
DD１６  滑動部
DD１７  連結穴
DD１８  連結穴
DD１９  軸
DD２０  連結部
DD２１  連結穴
DD２２  枠
DD２３  枠
DD２４  間の幅
EE１１  把持部を備えた携帯情報端末バンパー
EE１２  U字状の枠
EE１３  携帯情報端末バンパー
EE１４  連結部
EE１５  滑動部
EE１６  滑動部
EE１７  把持部
EE１８  内側
EE１９  幅
EE２０  表面
EE２１  断面位置
EE２２  軸
EE２３  携帯情報端末
EE２４  連結穴
EE２５  連結穴
EE２６  連結穴
EE２７  裏面
EE２８  連結穴
EE２９  連結部
FF１１  滑動自在な把持具
FF１２  接着部
FF１３  枠
FF１４  接着面
FF１５  滑動部
FF１６  滑動部
FF１７  把持部
FF１８  連結部
FF１９  軸
FF２０  滑動スペース
FF２１  表面
FF２２  裏面
FF２３  携帯情報端末
FF２４  連結穴
FF２５  間の幅
FF２６  連結穴
FF２７  連結穴
FF２８  連結穴
FF２９  連結部
FF３０  取り付け位置
FF３１  間
FF３２  断面位置
FF３３  枠
FF３４  枠
GG１１  滑動自在な把持具
GG１２  爪
GG１３  携帯情報端末ケース
GG１４  吸着部
GG１５  箱
GG１６  蓋
GG１７  把持部
GG１８  滑動部
GG１９  窓
GG２０  連結穴
GG２１  軸
GG２２  軸
GG２３  連結穴
GG２４  軸窓
GG２５  挿着部
GG２６  係合部
HH１１  滑動自在な把持部を備えた携帯情報端末ケース
HH１２  把持部
HH１３  連結穴
HH１４  軸
HH１５  滑動部
HH１６  連結部
HH１７  連結穴
HH１８  連結穴
HH１９  滑動部
HH２０  連結部
HH２１  連結穴
HH２２  開閉溝
HH２３  携帯情報端末ケース
HH２４  滑動スペース
HH２５  装着溝
HH２６  掛止溝
HH２７  開閉部
HH２８  爪
HH２９  開口部
HH３０  幅
HH３１  蓋
HH３２  掛止部
HH３３  断面位置
HH３４  携帯情報端末
HH３５  表面
HH３６  裏面
II１１  滑動自在な把持部を備えた携帯情報端末ケース
II１２  把持部
II１３  連結穴
II１４  軸
II１５  滑動部
II１６  連結部
II１７  連結穴
II１８  連結穴
II１９  滑動部
II２０  連結部
II２１  連結穴
II２２  軸
II２３  開閉溝
II２４  携帯情報端末ケース
II２５  滑動スペース
II２６  装着溝
II２７  連結穴
II２８  回動部
II２９  開閉部
II３０  爪
II３１  開口部
II３２  幅
II３３  連結穴
II３４  回動部
II３５  蓋
【図１】
2019208209.tif 000003
【図２】
2019208209.tif 000004
【図３】
2019208209.tif 000005
【図４】
2019208209.tif 000006
【図５】
2019208209.tif 000007
【図６】
2019208209.tif 000008
【図７】
2019208209.tif 000009
【図８】
2019208209.tif 000010
【図９】
2019208209.tif 000011
【図１０】
2019208209.tif 000012
【図１１】
2019208209.tif 000013
【図１２】
2019208209.tif 000014
【図１３】
2019208209.tif 000015
【図１４】
2019208209.tif 000016
【図１５】
2019208209.tif 000017
【図１６】
2019208209.tif 000018
【図１７】
2019208209.tif 000019
【図１８】
2019208209.tif 000020
【図１９】
2019208209.tif 000021
【図２０】
2019208209.tif 000022
【図２１】
2019208209.tif 000023
【図２２】
2019208209.tif 000024
【図２３】
2019208209.tif 000025
【図２４】
2019208209.tif 000026
【図２５】
2019208209.tif 000027
【図２６】
2019208209.tif 000028
【図２７】
2019208209.tif 000029
【図２８】
2019208209.tif 000030
【図２９】
2019208209.tif 000031
【図３０】
2019208209.tif 000032
【図３１】
2019208209.tif 000033
【図３２】
2019208209.tif 000034
【図３３】
2019208209.tif 000035
【図３４】
2019208209.tif 000036
【図３５】
2019208209.tif 000037
【図３６】
2019208209.tif 000038
【図３７】
2019208209.tif 000039
【図３８】
2019208209.tif 000040
【図３９】
2019208209.tif 000041
【図４０】
2019208209.tif 000042
【図４１】
2019208209.tif 000043
【図４２】
2019208209.tif 000044
【図４３】
2019208209.tif 000045
【図４４】
2019208209.tif 000046
【図４５】
2019208209.tif 000047
【図４６】
2019208209.tif 000048
【図４７】
2019208209.tif 000049
【図４８】
2019208209.tif 000050
【図４９】
2019208209.tif 000051
【図５０】
2019208209.tif 000052
【図５１】
2019208209.tif 000053
【図５２】
2019208209.tif 000054
【図５３】
2019208209.tif 000055
【図５４】
2019208209.tif 000056
【図５５】
2019208209.tif 000057
【図５６】
2019208209.tif 000058
【図５７】
2019208209.tif 000059
【図５８】
2019208209.tif 000060
【図５９】
2019208209.tif 000061
【図６０】
2019208209.tif 000062
【図６１】
2019208209.tif 000063
【図６２】
2019208209.tif 000064
【図６３】
2019208209.tif 000065
【図６４】
2019208209.tif 000066
【図６５】
2019208209.tif 000067
【図６６】
2019208209.tif 000068
【図６７】
2019208209.tif 000069
【図６８】
2019208209.tif 000070
【図６９】
2019208209.tif 000071
【図７０】
2019208209.tif 000072
【図７１】
2019208209.tif 000073
【図７２】
2019208209.tif 000074
【図７３】
2019208209.tif 000075
【図７４】
2019208209.tif 000076
【図７５】
2019208209.tif 000077
【図７６】
2019208209.tif 000078
【図７７】
2019208209.tif 000079
【図７８】
2019208209.tif 000080
【図７９】
2019208209.tif 000081
【図８０】
2019208209.tif 000082
【図８１】
2019208209.tif 000083
【図８２】
2019208209.tif 000084
【図８３】
2019208209.tif 000085
【図８４】
2019208209.tif 000086
【図８５】
2019208209.tif 000087
【図８６】
2019208209.tif 000088
【図８７】
2019208209.tif 000089
【図８８】
2019208209.tif 000090
【図８９】
2019208209.tif 000091
【図９０】
2019208209.tif 000092